(57)【要約】  本発明によれば、基地局装置によるスケジューリングに基づいて、端末装置が上りリンク信号の送信を行い、より効率的に通信することができる基地局装置、端末装置、通信方法および集積回路を提供する。端末装置において、第１の上りリンク−下りリンク設定、第２の上りリンク−下りリンク設定、および、第３の上りリンク−下りリンク設定をセットする設定部と、前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを伴う物理下りリンク制御チャネルをモニタする受信部と、前記サウンディング参照信号の送信を要求する情報に基づいて、前記サウンディング参照信号を送信する送信部と、を備える。
2014156894.tif 000002
【特許請求の範囲】
【請求項１】
基地局装置と通信する端末装置において、
第１の上りリンク−下りリンク設定、第２の上りリンク−下りリンク設定、および、第３の上りリンク−下りリンク設定をセットする設定部と、
前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを伴う物理下りリンク制御チャネルをモニタする受信部と、
前記サウンディング参照信号の送信を要求する情報に基づいて、サウンディング参照信号を送信する送信部と、を備え、
前記送信部は、
サブフレームｎにおいて前記サウンディング参照信号の送信を要求する情報を検出した場合に、上位層によって設定され、且つ、ｎ＋ｋ（ｋ≧４）を満たす最初のサブフレームが、前記第３の上りリンク−下りリンク設定に基づく上りリンクサブフレームであるならば、前記サウンディング参照信号を送信し、前記上位層によって設定され、且つ、ｎ＋ｋ（ｋ≧４）を満たす最初のサブフレームが、前記第３の上りリンク−下りリンク設定に基づく下りリンクサブフレームであるならば、前記サウンディング参照信号をドロップし、
前記第１の上りリンク−下りリンク設定および前記第２の上りリンク−下りリンク設定において下りリンクサブフレームとして設定されたサブフレームは、前記第３の上りリンク−下りリンク設定において下りリンクサブフレームとして使用され得る、且つ、
前記第１の上りリンク−下りリンク設定において上りリンクサブフレームとして設定され、前記第２の上りリンク−下りリンク設定において下りリンクサブフレームとして設定されたサブフレームは、前記第３の上りリンク−下りリンク設定において上りリンクサブフレームまたは下りリンクサブフレームとして使用され得る
ことを特徴とする端末装置。
【請求項２】
前記送信部は、
物理上りリンク共用チャネルのスケジューリングに用いられる下りリンク制御情報フォーマットを伴う物理下りリンク制御チャネルの前記サブフレームｎにおける検出に基づいて、対応する前記物理上りリンク共用チャネルでの送信をサブフレームｎ＋ｋで行い、
前記ｋは、前記第１の上りリンク−下りリンク設定に基づいて与えられる
ことを特徴とする請求項１に記載の端末装置。
【請求項３】
前記第１の上りリンク−下りリンク設定、前記第２の上りリンク−下りリンク設定、および、前記第３の上りリンク−下りリンク設定は、無線フレームにおける下りリンクサブフレーム、上りリンクサブフレーム、および、スペシャルサブフレームによって定義される
ことを特徴とする請求項１または請求項２に記載の端末装置。
【請求項４】
端末装置と通信する基地局装置において、
第１の上りリンク−下りリンク設定、第２の上りリンク−下りリンク設定、および、第３の上りリンク−下りリンク設定をセットする設定部と、
前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを、物理下りリンク制御チャネルを用いて送信する送信部と、
前記サウンディング参照信号の送信を要求する情報に基づいて、サウンディング参照信号を受信する受信部と、を備え、
前記受信部は、
サブフレームｎにおいて前記サウンディング参照信号の送信を要求する情報を送信した場合に、上位層によって設定し、且つ、ｎ＋ｋ（ｋ≧４）を満たす最初のサブフレームが、前記第３の上りリンク−下りリンク設定に基づく上りリンクサブフレームであるならば、前記サウンディング参照信号を受信し、前記上位層によって設定し、且つ、ｎ＋ｋ（ｋ≧４）を満たす最初のサブフレームが、前記第３の上りリンク−下りリンク設定に基づく下りリンクサブフレームであるならば、前記サウンディング参照信号はドロップされるとみなし、
前記第１の上りリンク−下りリンク設定および前記第２の上りリンク−下りリンク設定において下りリンクサブフレームとして設定したサブフレームは、前記第３の上りリンク−下りリンク設定において下りリンクサブフレームとして使用され得る、且つ、
前記第１の上りリンク−下りリンク設定において上りリンクサブフレームとして設定し、前記第２の上りリンク−下りリンク設定において下りリンクサブフレームとして設定したサブフレームは、前記第３の上りリンク−下りリンク設定において上りリンクサブフレームまたは下りリンクサブフレームとして使用され得る
ことを特徴とする基地局装置。
【請求項５】
前記受信部は、
物理上りリンク共用チャネルのスケジューリングに用いられる下りリンク制御情報フォーマットの物理下りリンク制御チャネルを用いた前記サブフレームｎにおける送信に基づいて、対応する前記物理上りリンク共用チャネルでの受信をサブフレームｎ＋ｋで行い、
前記ｋは、前記第１の上りリンク−下りリンク設定に基づいて与えられる
ことを特徴とする請求項４に記載の基地局装置。
【請求項６】
前記第１の上りリンク−下りリンク設定、前記第２の上りリンク−下りリンク設定、および、前記第３の上りリンク−下りリンク設定は、無線フレームにおける下りリンクサブフレーム、上りリンクサブフレーム、および、スペシャルサブフレームによって定義される
ことを特徴とする請求項４または請求項５に記載の端末装置。
【請求項７】
基地局装置と通信する端末装置の通信方法において、
第１の上りリンク−下りリンク設定、第２の上りリンク−下りリンク設定、および、第３の上りリンク−下りリンク設定をセットし、
前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを伴う物理下りリンク制御チャネルをモニタし、
サブフレームｎにおいて前記サウンディング参照信号の送信を要求する情報を検出した場合に、上位層によって設定され、且つ、ｎ＋ｋ（ｋ≧４）を満たす最初のサブフレームが、前記第３の上りリンク−下りリンク設定に基づく上りリンクサブフレームであるならば、サウンディング参照信号を送信し、前記上位層によって設定され、且つ、ｎ＋ｋ（ｋ≧４）を満たす最初のサブフレームが、前記第３の上りリンク−下りリンク設定に基づく下りリンクサブフレームであるならば、前記サウンディング参照信号をドロップし、
前記第１の上りリンク−下りリンク設定および前記第２の上りリンク−下りリンク設定において下りリンクサブフレームとして設定されたサブフレームは、前記第３の上りリンク−下りリンク設定において下りリンクサブフレームとして使用され得る、且つ、
前記第１の上りリンク−下りリンク設定において上りリンクサブフレームとして設定され、前記第２の上りリンク−下りリンク設定において下りリンクサブフレームとして設定されたサブフレームは、前記第３の上りリンク−下りリンク設定において上りリンクサブフレームまたは下りリンクサブフレームとして使用され得る
ことを特徴とする通信方法。
【請求項８】
端末装置と通信する基地局装置の通信方法において、
第１の上りリンク−下りリンク設定、第２の上りリンク−下りリンク設定、および、第３の上りリンク−下りリンク設定をセットし、
前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを、物理下りリンク制御チャネルを用いて送信し、
サブフレームｎにおいて前記サウンディング参照信号の送信を要求する情報を送信した場合に、上位層によって設定し、且つ、ｎ＋ｋ（ｋ≧４）を満たす最初のサブフレームが、前記第３の上りリンク−下りリンク設定に基づく上りリンクサブフレームであるならば、サウンディング参照信号を受信し、前記上位層によって設定し、且つ、ｎ＋ｋ（ｋ≧４）を満たす最初のサブフレームが、前記第３の上りリンク−下りリンク設定に基づく下りリンクサブフレームであるならば、前記サウンディング参照信号はドロップされるとみなし、
前記第１の上りリンク−下りリンク設定および前記第２の上りリンク−下りリンク設定において下りリンクサブフレームとして設定したサブフレームは、前記第３の上りリンク−下りリンク設定において下りリンクサブフレームとして使用され得る、且つ、
前記第１の上りリンク−下りリンク設定において上りリンクサブフレームとして設定し、前記第２の上りリンク−下りリンク設定において下りリンクサブフレームとして設定したサブフレームは、前記第３の上りリンク−下りリンク設定において上りリンクサブフレームまたは下りリンクサブフレームとして使用され得る
ことを特徴とする通信方法。
【請求項９】
基地局装置と通信する端末装置に搭載される集積回路において、
第１の上りリンク−下りリンク設定、第２の上りリンク−下りリンク設定、および、第３の上りリンク−下りリンク設定をセットする機能と、
前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを伴う物理下りリンク制御チャネルをモニタする機能と、
サブフレームｎにおいて前記サウンディング参照信号の送信を要求する情報を検出した場合に、上位層によって設定され、且つ、ｎ＋ｋ（ｋ≧４）を満たす最初のサブフレームが、前記第３の上りリンク−下りリンク設定に基づく上りリンクサブフレームであるならば、サウンディング参照信号を送信し、前記上位層によって設定され、且つ、ｎ＋ｋ（ｋ≧４）を満たす最初のサブフレームが、前記第３の上りリンク−下りリンク設定に基づく下りリンクサブフレームであるならば、前記サウンディング参照信号をドロップする機能と、を前記端末装置に発揮させ、
前記第１の上りリンク−下りリンク設定および前記第２の上りリンク−下りリンク設定において下りリンクサブフレームとして設定されたサブフレームは、前記第３の上りリンク−下りリンク設定において下りリンクサブフレームとして使用され得る、且つ、
前記第１の上りリンク−下りリンク設定において上りリンクサブフレームとして設定され、前記第２の上りリンク−下りリンク設定において下りリンクサブフレームとして設定されたサブフレームは、前記第３の上りリンク−下りリンク設定において上りリンクサブフレームまたは下りリンクサブフレームとして使用され得る
ことを特徴とする集積回路。
【請求項１０】
端末装置と通信する基地局装置に搭載される集積回路において、
第１の上りリンク−下りリンク設定、第２の上りリンク−下りリンク設定、および、第３の上りリンク−下りリンク設定をセットする機能と、
前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを、物理下りリンク制御チャネルを用いて送信する機能と、
サブフレームｎにおいて前記サウンディング参照信号の送信を要求する情報を送信した場合に、上位層によって設定し、且つ、ｎ＋ｋ（ｋ≧４）を満たす最初のサブフレームが、前記第３の上りリンク−下りリンク設定に基づく上りリンクサブフレームであるならば、サウンディング参照信号を受信し、前記上位層によって設定し、且つ、ｎ＋ｋ（ｋ≧４）を満たす最初のサブフレームが、前記第３の上りリンク−下りリンク設定に基づく下りリンクサブフレームであるならば、前記サウンディング参照信号はドロップされるとみなす機能と、を前記基地局装置に発揮させ、
前記第１の上りリンク−下りリンク設定および前記第２の上りリンク−下りリンク設定において下りリンクサブフレームとして設定したサブフレームは、前記第３の上りリンク−下りリンク設定において下りリンクサブフレームとして使用され得る、且つ、
前記第１の上りリンク−下りリンク設定において上りリンクサブフレームとして設定し、前記第２の上りリンク−下りリンク設定において下りリンクサブフレームとして設定したサブフレームは、前記第３の上りリンク−下りリンク設定において上りリンクサブフレームまたは下りリンクサブフレームとして使用され得る
ことを特徴とする集積回路。
【発明の詳細な説明】
【技術分野】
【０００１】
本発明は、端末装置、基地局装置、通信方法および集積回路に関する。
【背景技術】
【０００２】
セルラー移動通信の無線アクセス方式および無線ネットワーク（以下、「Long Term Evolution （LTE）」、または、「Evolved Universal Terrestrial Radio Access: EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は、複数のセルを管理しても良い。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において、全二重通信（full duplex communication）を可能にする技術である。また、ＬＴＥは、周波数分割複信（Frequency Division Duplex: FDD）に対応している。【０００４】
ＴＤ−ＬＴＥにおいて、上りリンクのトラフィックと下りリンクのトラフィックに応じて、上りリンクリソースと下りリンクリソースの比率を変更するトラフィックアダプテーション技術と干渉軽減技術（DL-UL Interference Management and Traffic Adaptation）が検討されている。トラフィックアダプテーション技術を適用した場合、上りリンクリソースと下りリンクリソースの比率を変更しない場合に比べて、無線通信システムにおいて大きなスループットの改善が得られる。【０００５】
非特許文献１において、トラフィックアダプテーションを実現する方法として、フレキシブルサブフレーム（flexible subframe）を用いる方法が提示されている。基地局装置は、フレキシブルサブフレームにおいて、下りリンク信号の送信または上りリンク信号の受信を行うことができる。端末装置は、上りリンク信号の送信を基地局装置によって指示されない限り、フレキシブルサブフレームを下りリンクサブフレームとみなす。ここで、トラフィックアダプテーション技術を、ダイナミックＴＤＤとも称する。【０００６】
非特許文献１には、新たに導入される上りリンク-下りリンク設定（UL-DL configuration）に基づいて、ＰＤＳＣＨ（Physical Downlink Shared CHannel）に対応するＨＡＲＱ（Hybrid Automatic Repeat reQuest）タイミングを決定し、最初の上りリンク−下りリンク設定に基づいて、ＰＵＳＣＨ（Physical Uplink Shared CHannel）に対応するＨＡＲＱタイミングを決定することが記載されている。【０００７】
非特許文献２には、（ａ）上りリンク−下りリンク参照設定（UL/DL Reference Configuration）を導入すること、（ｂ）いくつかのサブフレームは、スケジューラからのダイナミック・グラント／アサインメントによって上りリンク、または下りリンクの何れかのためにスケジュールされ得ることが記載されている。
【先行技術文献】
【非特許文献】
【０００８】
【非特許文献１】"On standardization impact of TDD UL-DL adaptation", R1-122016, 3GPP TSG-RAN WG1 Meeting #69, 21st - 25th May 2012.
【非特許文献２】"Signalling support for dynamic TDD", R1-130558, 3GPP TSG-RAN WG1 Meeting #72, 28th January - 1st February 2013.
【発明の概要】
【発明が解決しようとする課題】
【０００９】
しかしながら、上述のような無線通信システムにおいて、端末装置が、上りリンク信号の送信を行う際の具体的な手順について記載されていなかった。例えば、基地局装置によるスケジューリングに基づいて、端末装置が、上りリンク信号の送信を行う際の具体的な手順について記載がなかった。【００１０】
本発明は上記の点に鑑みてなされたものであり、その目的は、基地局装置によるスケジューリングに基づいて、端末装置が上りリンク信号の送信を行い、より効率的に通信することができる端末装置、基地局装置、通信方法および集積回路を提供することを目的とする。
【課題を解決するための手段】
【００１１】
（１）上記の目的を達成するために、本発明は、以下のような手段を講じた。すなわち、本発明における端末装置は、基地局装置と通信する端末装置において、第１の上りリンク−下りリンク設定、第２の上りリンク−下りリンク設定、および、第３の上りリンク−下りリンク設定をセットする設定部と、前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを伴う物理下りリンク制御チャネルをモニタする受信部と、前記サウンディング参照信号の送信を要求する情報に基づいて、サウンディング参照信号を送信する送信部と、を備え、前記送信部は、サブフレームｎにおいて前記サウンディング参照信号の送信を要求する情報を検出した場合に、上位層によって設定され、且つ、ｎ＋ｋ（ｋ≧４）を満たす最初のサブフレームが、前記第３の上りリンク−下りリンク設定に基づく上りリンクサブフレームであるならば、前記サウンディング参照信号を送信し、前記上位層によって設定され、且つ、ｎ＋ｋ（ｋ≧４）を満たす最初のサブフレームが、前記第３の上りリンク−下りリンク設定に基づく下りリンクサブフレームであるならば、前記サウンディング参照信号をドロップし、前記第１の上りリンク−下りリンク設定および前記第２の上りリンク−下りリンク設定において下りリンクサブフレームとして設定されたサブフレームは、前記第３の上りリンク−下りリンク設定において下りリンクサブフレームとして使用され得る、且つ、前記第１の上りリンク−下りリンク設定において上りリンクサブフレームとして設定され、前記第２の上りリンク−下りリンク設定において下りリンクサブフレームとして設定されたサブフレームは、前記第３の上りリンク−下りリンク設定において上りリンクサブフレームまたは下りリンクサブフレームとして使用され得ることを特徴としている。【００１２】
（２）また、端末装置と通信する基地局装置において、第１の上りリンク−下りリンク設定、第２の上りリンク−下りリンク設定、および、第３の上りリンク−下りリンク設定をセットする設定部と、前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを、物理下りリンク制御チャネルを用いて送信する送信部と、前記サウンディング参照信号の送信を要求する情報に基づいて、サウンディング参照信号を受信する受信部と、を備え、前記受信部は、サブフレームｎにおいて前記サウンディング参照信号の送信を要求する情報を送信した場合に、上位層によって設定し、且つ、ｎ＋ｋ（ｋ≧４）を満たす最初のサブフレームが、前記第３の上りリンク−下りリンク設定に基づく上りリンクサブフレームであるならば、前記サウンディング参照信号を受信し、前記上位層によって設定し、且つ、ｎ＋ｋ（ｋ≧４）を満たす最初のサブフレームが、前記第３の上りリンク−下りリンク設定に基づく下りリンクサブフレームであるならば、前記サウンディング参照信号はドロップされるとみなし、前記第１の上りリンク−下りリンク設定および前記第２の上りリンク−下りリンク設定において下りリンクサブフレームとして設定したサブフレームは、前記第３の上りリンク−下りリンク設定において下りリンクサブフレームとして使用され得る、且つ、前記第１の上りリンク−下りリンク設定において上りリンクサブフレームとして設定し、前記第２の上りリンク−下りリンク設定において下りリンクサブフレームとして設定したサブフレームは、前記第３の上りリンク−下りリンク設定において上りリンクサブフレームまたは下りリンクサブフレームとして使用され得ることを特徴としている。【００１３】
（３）また、基地局装置と通信する端末装置の通信方法において、第１の上りリンク−下りリンク設定、第２の上りリンク−下りリンク設定、および、第３の上りリンク−下りリンク設定をセットし、前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを伴う物理下りリンク制御チャネルをモニタし、サブフレームｎにおいて前記サウンディング参照信号の送信を要求する情報を検出した場合に、上位層によって設定され、且つ、ｎ＋ｋ（ｋ≧４）を満たす最初のサブフレームが、前記第３の上りリンク−下りリンク設定に基づく上りリンクサブフレームであるならば、サウンディング参照信号を送信し、前記上位層によって設定され、且つ、ｎ＋ｋ（ｋ≧４）を満たす最初のサブフレームが、前記第３の上りリンク−下りリンク設定に基づく下りリンクサブフレームであるならば、前記サウンディング参照信号をドロップし、前記第１の上りリンク−下りリンク設定および前記第２の上りリンク−下りリンク設定において下りリンクサブフレームとして設定されたサブフレームは、前記第３の上りリンク−下りリンク設定において下りリンクサブフレームとして使用され得る、且つ、前記第１の上りリンク−下りリンク設定において上りリンクサブフレームとして設定され、前記第２の上りリンク−下りリンク設定において下りリンクサブフレームとして設定されたサブフレームは、前記第３の上りリンク−下りリンク設定において上りリンクサブフレームまたは下りリンクサブフレームとして使用され得ることを特徴としている。【００１４】
（４）また、端末装置と通信する基地局装置の通信方法において、第１の上りリンク−下りリンク設定、第２の上りリンク−下りリンク設定、および、第３の上りリンク−下りリンク設定をセットし、前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを、物理下りリンク制御チャネルを用いて送信し、サブフレームｎにおいて前記サウンディング参照信号の送信を要求する情報を送信した場合に、上位層によって設定し、且つ、ｎ＋ｋ（ｋ≧４）を満たす最初のサブフレームが、前記第３の上りリンク−下りリンク設定に基づく上りリンクサブフレームであるならば、サウンディング参照信号を受信し、前記上位層によって設定し、且つ、ｎ＋ｋ（ｋ≧４）を満たす最初のサブフレームが、前記第３の上りリンク−下りリンク設定に基づく下りリンクサブフレームであるならば、前記サウンディング参照信号はドロップされるとみなし、前記第１の上りリンク−下りリンク設定および前記第２の上りリンク−下りリンク設定において下りリンクサブフレームとして設定したサブフレームは、前記第３の上りリンク−下りリンク設定において下りリンクサブフレームとして使用され得る、且つ、前記第１の上りリンク−下りリンク設定において上りリンクサブフレームとして設定し、前記第２の上りリンク−下りリンク設定において下りリンクサブフレームとして設定したサブフレームは、前記第３の上りリンク−下りリンク設定において上りリンクサブフレームまたは下りリンクサブフレームとして使用され得ることを特徴としている。【００１５】
（５）また、基地局装置と通信する端末装置に搭載される集積回路において、第１の上りリンク−下りリンク設定、第２の上りリンク−下りリンク設定、および、第３の上りリンク−下りリンク設定をセットする機能と、前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを伴う物理下りリンク制御チャネルをモニタする機能と、サブフレームｎにおいて前記サウンディング参照信号の送信を要求する情報を検出した場合に、上位層によって設定され、且つ、ｎ＋ｋ（ｋ≧４）を満たす最初のサブフレームが、前記第３の上りリンク−下りリンク設定に基づく上りリンクサブフレームであるならば、サウンディング参照信号を送信し、前記上位層によって設定され、且つ、ｎ＋ｋ（ｋ≧４）を満たす最初のサブフレームが、前記第３の上りリンク−下りリンク設定に基づく下りリンクサブフレームであるならば、前記サウンディング参照信号をドロップする機能と、を前記端末装置に発揮させ、前記第１の上りリンク−下りリンク設定および前記第２の上りリンク−下りリンク設定において下りリンクサブフレームとして設定されたサブフレームは、前記第３の上りリンク−下りリンク設定において下りリンクサブフレームとして使用され得る、且つ、前記第１の上りリンク−下りリンク設定において上りリンクサブフレームとして設定され、前記第２の上りリンク−下りリンク設定において下りリンクサブフレームとして設定されたサブフレームは、前記第３の上りリンク−下りリンク設定において上りリンクサブフレームまたは下りリンクサブフレームとして使用され得ることを特徴としている。【００１６】
（６）また、端末装置と通信する基地局装置に搭載される集積回路において、第１の上りリンク−下りリンク設定、第２の上りリンク−下りリンク設定、および、第３の上りリンク−下りリンク設定をセットする機能と、前記第３の上りリンク−下りリンク設定に基づく下りリンクサブフレームにおいて、物理下りリンク共用チャネルのスケジューリングに用いられ、サウンディング参照信号の送信を要求する情報が含まれる下りリンク制御情報フォーマットを、物理下りリンク制御チャネルを用いて送信する機能と、サブフレームｎにおいて前記サウンディング参照信号の送信を要求する情報を送信した場合に、上位層によって設定し、且つ、ｎ＋ｋ（ｋ≧４）を満たす最初のサブフレームが、前記第３の上りリンク−下りリンク設定に基づく上りリンクサブフレームであるならば、サウンディング参照信号を受信し、前記上位層によって設定し、且つ、ｎ＋ｋ（ｋ≧４）を満たす最初のサブフレームが、前記第３の上りリンク−下りリンク設定に基づく下りリンクサブフレームであるならば、前記サウンディング参照信号はドロップされるとみなす機能と、を前記基地局装置に発揮させ、前記第１の上りリンク−下りリンク設定および前記第２の上りリンク−下りリンク設定において下りリンクサブフレームとして設定したサブフレームは、前記第３の上りリンク−下りリンク設定において下りリンクサブフレームとして使用され得る、且つ、前記第１の上りリンク−下りリンク設定において上りリンクサブフレームとして設定し、前記第２の上りリンク−下りリンク設定において下りリンクサブフレームとして設定したサブフレームは、前記第３の上りリンク−下りリンク設定において上りリンクサブフレームまたは下りリンクサブフレームとして使用され得ることを特徴としている。
【発明の効果】
【００１７】
本発明によれば、基地局装置によるスケジューリングに基づいて、端末装置が上りリンク信号の送信を行い、より効率的に通信することができる。
【図面の簡単な説明】
【００１８】
【図１】本実施形態における無線通信システムの例を示す図である。
【図２】本実施形態における無線フレームの構成の例を示す図である。
【図３】本実施形態におけるスロットの構成の例を示す図である。
【図４】下りリンクサブフレームにおける物理チャネルおよび物理信号のマッピングの例を示す図である。
【図５】上りリンクサブフレームにおける物理チャネルおよび物理信号のマッピングの例を示す図である。
【図６】スペシャルサブフレームにおける物理チャネルおよび物理信号のマッピングの例を示す図である。
【図７】本実施形態における端末装置１の構成を示す概略ブロック図である。
【図８】本実施形態における基地局装置３の構成を示す概略ブロック図である。
【図９】上りリンク−下りリンク設定の例を示す表である。
【図１０】第１の設定を説明するための図である。
【図１１】第１の設定を説明するための別の図である。
【図１２】第１の設定を説明するための別の図である。
【図１３】第２の設定を説明するための図である。
【図１４】第１の設定、第２の設定および第３の設定を用いて指示されるサブフレームの関係を示す図である。
【図１５】第２のＳＲＳの送信を説明するための図である。
【発明を実施するための形態】
【００１９】
以下、本発明における第１の実施形態について説明する。
【００２０】
本実施形態は、端末装置に対して設定される単一のセルにおいて適用可能である。また、端末装置に対して設定される複数のセルのそれぞれにおいて適用されても良い。また、端末装置に対して設定された複数のセルの一部において適用されても良い。ここで、端末装置が、複数のセルにおいて通信する技術を、セルアグリゲーション、または、キャリアアグリゲーションと称する。ここで、端末装置に対して設定されるセルを、サービングセルとも称する。
【００２１】
本実施形態における無線通信システムでは、少なくとも、ＴＤＤ（Time Division Duplex）方式が適用（サポート）される。また、セルアグリゲーションが適用（サポート）される場合に、複数のセルのそれぞれにおいてＴＤＤ方式が適用されても良い。また、ＴＤＤ方式が適用されるセルとＦＤＤ（Frequency Division Duplex）方式が適用されるセルがアグリゲーションされる場合に、ＴＤＤ方式が適用されるセルに対して、本実施形態が適用されても良い。
【００２２】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２３】
図１は、本実施形態における無線通信システムの例を示す図である。図１において、無線通信システムは、端末装置１Ａ〜１Ｃ、および基地局装置３を具備する。以下、端末装置１Ａ〜１Ｃを、端末装置１とも記載する。
【００２４】
本実施形態は、基地局装置３によってダイナミックＴＤＤ（ダイナミックＴＤＤに関連する設定（送信モード））が設定された端末装置１に対して適用されても良い。
【００２５】
図１において、端末装置１から基地局装置３への上りリンクの無線通信では、少なくとも、以下の上りリンク物理チャネルが用いられる。上りリンク物理チャネルは、上位層から出力された情報を送信するために使用される。
・ＰＵＣＣＨ（Physical Uplink Control CHannel）
・ＰＵＳＣＨ（Physical Uplink Shared CHannel）
・ＰＲＡＣＨ（Physical Random Access CHannel）
【００２６】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared CHannel: DL-SCH）に対するＡＣＫ（an ACKnowledgement）またはＮＡＣＫ（a Negative-ACKnowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバック、または、応答情報とも称する。
【００２７】
また、上りリンク制御情報は、下りリンクに対するチャネル状態情報（Channel State Information: CSI）を含む。また、上りリンク制御情報は、上りリンク共用チャネル（Uplink-Shared CHannel: UL-SCH）リソースを要求するために用いられるスケジューリング要求（Scheduling Request: SR）を含む。
【００２８】
ＰＵＳＣＨは、上りリンクデータ（上りリンクトランスポートブロック、UL-SCH）を送信するために用いられる。ＰＵＳＣＨは、上りリンクデータと共に、ＡＣＫ／ＮＡＣＫおよび／またはチャネル状態情報を送信するために用いられても良い。また、ＰＵＳＣＨは、チャネル状態情報のみ、または、ＡＣＫ／ＮＡＣＫおよびチャネル状態情報のみを送信するために用いられても良い。
【００２９】
ＰＲＡＣＨは、ランダムアクセスプリアンブルを送信するために用いられる。ＰＲＡＣＨ（または、ランダムアクセスプロシージャ）は、端末装置１が、基地局装置３と時間領域の同期を取ることを主な目的として用いられる。また、ＰＲＡＣＨ（または、ランダムアクセスプロシージャ）は、初期コネクション確立（initial connection establishment）プロシージャ、ハンドオーバプロシージャ、コネクション再確立（connection re-establishment）プロシージャ、上りリンク送信に対する同期（タイミング調整）、およびスケジューリング要求の送信のためにも用いられる。
【００３０】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００３１】
本実施形態において、以下の２つのタイプの上りリンク参照信号が用いられる。
・ＤＭＲＳ（DeModulation Reference Signal）
・ＳＲＳ（Sounding Reference Signal）
【００３２】
ＤＭＲＳは、ＰＵＳＣＨまたはＰＵＣＣＨの送信に関連する。ＤＭＲＳは、ＰＵＳＣＨまたはＰＵＣＣＨと時間多重される。例えば、基地局装置３は、ＰＵＳＣＨまたはＰＵＣＣＨの伝搬路補正を行うためにＤＭＲＳを使用する。以下、ＰＵＳＣＨとＤＭＲＳを共に送信することを、単に、ＰＵＳＣＨを送信するとも称する。また、ＰＵＣＣＨとＤＭＲＳを共に送信することを、単に、ＰＵＣＣＨを送信するとも称する。
【００３３】
ＳＲＳは、ＰＵＳＣＨまたはＰＵＣＣＨの送信に関連しない。例えば、基地局装置３は、上りリンクのチャネル状態を測定するためにＳＲＳを使用する。端末装置１は、上位層によって設定された第１のリソースにおいて第１のＳＲＳを送信する。第１のＳＲＳをピリオディックＳＲＳ（周期的に送信されるＳＲＳ）とも称する。
【００３４】
端末装置１は、基地局装置３によって上位層の信号を用いて設定されたサブフレームにおいて、第１のＳＲＳを送信する。例えば、基地局装置３は、上位層の信号を用いて、周期およびオフセットに関する情報を送信することによって、第１のＳＲＳの送信に用いられるサブフレームを設定する。
【００３５】
また、端末装置１は、上位層によって設定された第２のリソースにおいて第２のＳＲＳを送信する。第２のＳＲＳは、基地局装置３による指示に基づいて１回だけ送信される。第２のＳＲＳをアピリオディックＳＲＳ（非周期的に送信されるＳＲＳ）とも称する。端末装置１は、ＤＣＩフォーマットに含まれるＳＲＳの送信を要求するかどうかを示す情報（ＳＲＳリクエスト、ＳＲＳリクエストフィールドと称す）に基づいて、第２のＳＲＳを送信する。
【００３６】
例えば、端末装置１は、サブフレームｎにおいて、１にセットされたＳＲＳリクエスト（a positive SRS requestとも称する）が含まれるＤＣＩフォーマットを受信した場合に、ｎ＋ｋ（例えば、ｋ≧４）を満たす最初のサブフレームにおいて、第２のＳＲＳを送信する。ここで、ＳＲＳの送信に利用可能なサブフレーム（ＳＲＳサブフレームとも称する）は、基地局装置３によって上位層の信号を用いて設定される。すなわち、端末装置１は、基地局装置３によって設定されたＳＲＳサブフレームのいずれかにおいて、第２のＳＲＳを送信する。
【００３７】
基地局装置３は、ＳＲＳリクエストを、下りリンクアサインメントに含めて送信することができる。また、基地局装置３は、ＳＲＳリクエストを、上りリンクグラントに含めて送信することができる。
【００３８】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast CHannel）
・ＰＣＦＩＣＨ（Physical Control Format Indicator CHannel）
・ＰＨＩＣＨ（Physical Hybrid automatic repeat request Indicator CHannel）
・ＰＤＣＣＨ（Physical Downlink Control CHannel）
・ＥＰＤＣＣＨ（Enhanced Physical Downlink Control CHannel）
・ＰＤＳＣＨ（Physical Downlink Shared CHannel）
【００３９】
ＰＢＣＨは、端末装置１で共通に用いられるマスターインフォメーションブロック（Master Information Block: MIB, Broadcast CHannel: BCH）を報知するために用いられる。例えば、ＭＩＢは、４０ｍｓ間隔で送信される。また、ＭＩＢは１０ｍｓ周期で繰り返し送信される。具体的には、SFN mod 4 = 0を満たす無線フレーム内のサブフレーム０においてＭＩＢの初期送信が行われ、他の全ての無線フレーム内のサブフレーム０においてＭＩＢの再送信（repetition）が行われる。ここで、ＳＦＮ（System Frame Number）は無線フレームの番号である。ＭＩＢはシステム情報である。例えば、ＭＩＢは、ＳＦＮを示す情報を含む。
【００４０】
ＰＣＦＩＣＨは、ＰＤＣＣＨの送信に用いられる領域（例えば、ＯＦＤＭシンボルの数）を指示する情報を送信するために用いられる。
【００４１】
ＰＨＩＣＨは、基地局装置３が受信した上りリンクデータに対するＡＣＫ／ＮＡＣＫを送信するために用いられる。ＰＨＩＣＨは、上りリンクデータに対するＡＣＫ／ＮＡＣＫを示すＨＡＲＱインディケータ（ＨＡＲＱフィードバック、応答情報）を送信するために用いられる。
【００４２】
以下、上りリンクデータに対するＡＣＫ／ＮＡＣＫを送信するために用いられる下りリンク物理チャネルとしてＰＨＩＣＨを記載するが、同様の機能を持つ他の下りリンク物理チャネルが使用（定義）されたとしても、同様の実施形態が適用可能である。
【００４３】
端末装置１は、基地局装置３からＡＣＫを示すＨＡＲＱインディケータを受信した場合は、対応する上りリンクデータの再送を行わない。また、端末装置１は、基地局装置３からＮＡＣＫを示すＨＡＲＱインディケータを受信した場合は、対応する上りリンクデータの再送信を行う。ここで、単一のＰＨＩＣＨは、単一の上りリンクデータに対するＨＡＲＱインディケータの送信に用いられても良い。また、基地局装置３は、同一のＰＵＳＣＨに含まれる複数の上りリンクデータに対するＨＡＲＱインディケータのそれぞれを、複数のＰＨＩＣＨを用いて送信しても良い。
【００４４】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。
【００４５】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１Ａが定義される。
【００４６】
また、下りリンクに対するＤＣＩフォーマットとして、１つのセルにおける１つのＰＤＳＣＨ（２つまでのＰＤＳＣＨのコードワード、２つまでの下りリンクトランスポートブロックの送信）のスケジューリングに使用されるＤＣＩフォーマット２が定義される。
【００４７】
例えば、下りリンクに対するＤＣＩフォーマットには、ＰＤＳＣＨのリソース割り当てに関する情報、ＭＣＳ（Modulation and Coding Scheme）に関する情報などの下りリンク制御情報が含まれる。ここで、下りリンクに対するＤＣＩフォーマットを、下りリンクグラント（または、下りリンクアサインメント）とも称する。
【００４８】
また、例えば、上りリンクに対するＤＣＩフォーマットとして、１つのセルにおける１つのＰＵＳＣＨ（１つのＰＵＳＣＨのコードワード、１つの上りリンクトランスポートブロックの送信）のスケジューリングに使用されるＤＣＩフォーマット０が定義される。
【００４９】
また、上りリンクに対するＤＣＩフォーマットとして、１つのセルにおける１つのＰＵＳＣＨ（２つまでのＰＵＳＣＨのコードワード、２つまでの上りリンクトランスポートブロックの送信）のスケジューリングに使用されるＤＣＩフォーマット４が定義される。すなわち、ＤＣＩフォーマット４は、複数のアンテナポートを使用したＰＵＳＣＨでの送信をスケジューリングするために使用される。
【００５０】
例えば、上りリンクに対するＤＣＩフォーマットには、ＰＵＳＣＨのリソース割り当てに関する情報、ＭＣＳ（Modulation and Coding Scheme）に関する情報などの下りリンク制御情報が含まれる。ここで、上りリンクに対するＤＣＩフォーマットを、上りリンクグラント（または、上りリンクアサインメント）とも称する。
【００５１】
端末装置１は、下りリンクアサインメントを用いてＰＤＳＣＨのリソースがスケジュールされた場合、スケジュールされたＰＤＳＣＨで下りリンクデータを受信する。また、端末装置１は、上りリンクグラントを用いてＰＵＳＣＨのリソースがスケジュールされた場合、スケジュールされたＰＵＳＣＨで上りリンクデータおよび／または上りリンク制御情報を送信する。
【００５２】
ＰＤＳＣＨは、下りリンクデータ（下りリンクトランスポートブロック、DL-SCH）を送信するために用いられる。また、ＰＤＳＣＨは、ランダムアクセスレスポンスグラントを送信するために用いられる。ランダムアクセスレスポンスグラントは、ランダムアクセスプロシージャにおいて、ＰＵＳＣＨのスケジューリングに使用される。ここで、ランダムアクセスレスポンスグラントは、上位層（例えば、ＭＡＣ層）によって物理層へ指示される。
【００５３】
また、ＰＤＳＣＨは、システムインフォメーションブロックタイプ１メッセージを送信するために用いられる。システムインフォメーションブロックタイプ１メッセージには、スペシャルサブフレームの構成（例えば、ＤｗＰＴＳ、ＧＰ、およびＵｐＰＴＳの長さ）を示す情報が含まれても良い。システムインフォメーションブロックタイプ１メッセージは、セルスペシフィック（セル固有）の情報である。
【００５４】
また、ＰＤＳＣＨは、システムインフォメーションメッセージを送信するために用いられる。システムインフォメーションメッセージは、システムインフォメーションブロックタイプ１以外のシステムインフォメーションブロックを含む。システムインフォメーションメッセージは、セルスペシフィック（セル固有）の情報である。
【００５５】
また、ＰＤＳＣＨは、ＲＲＣメッセージを送信するために用いられる。ＲＲＣメッセージは、無線リソース制御（Radio Resource Control: RRC）層において処理される情報／信号である。ＲＲＣメッセージは、ある端末装置１に対して専用のメッセージ（dedicated signalingとも称する）であっても良い。すなわち、ユーザー装置スペシフィック（ユーザー装置固有）の情報は、専用のメッセージを使用して送信される。
【００５６】
また、ＰＤＳＣＨは、ＭＡＣ  ＣＥ（Control Element）を送信するために用いられる。ＭＡＣ  ＣＥは、媒体アクセス制御（MAC: Medium Access Control）層において処理される情報／信号である。ここで、ＲＲＣメッセージおよび／またはＭＡＣ  ＣＥを、上位層の信号（higher layer signaling）とも称する。
【００５７】
図１において、下りリンク物理信号として、同期信号（Synchronization signal: SS）および下りリンク参照信号（Downlink Reference Signal: DL RS）が用いられる。下りリンク物理信号は、上位層から出力された情報を送信するために使用されないが、物理層によって使用される。
【００５８】
例えば、図１において、ＣＲＳ（Cell-specific Reference Signal）、ＰＤＳＣＨに関連するＵＲＳ（UE-specific Reference Signal）、ＥＰＤＣＣＨに関連するＤＭＲＳ（DeModulation Reference Signal）、ＮＺＰ  ＣＳＩ−ＲＳ（Non-Zero Power Chanel State Information Reference Signal）およびＺＰ  ＣＳＩ−ＲＳ（Zero Power Chanel State Information Reference Signal）の５つのタイプの下りリンク参照信号が用いられる。
【００５９】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６０】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。例えば、ＨＡＲＱの制御は、ＭＡＣ層においてトランスポートブロック毎に行われる。トランスポートブロックは、ＭＡＣ層が物理層に渡す（deliverする）データの単位である。物理層において、トランスポートブロックはコードワードにマップされ、コードワード毎に符号化処理などが行われる。
【００６１】
図２は、本実施形態における無線フレーム（radio frame）の構成の例を示す図である。例えば、無線フレームのそれぞれは、１０ｍｓ長である。また、無線フレームのそれぞれは２つのハーフフレームから構成される。ハーフフレームのそれぞれは、５ｍｓ長である。ハーフフレームのそれぞれは、５つのサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用される。
【００６２】
本実施形態において、以下の３つのタイプのサブフレームが定義される。
・下りリンクサブフレーム（第１のサブフレーム）
・上りリンクサブフレーム（第２のサブフレーム）
・スペシャルサブフレーム（第３のサブフレーム）
【００６３】
下りリンクサブフレームは、下りリンク送信のためにリザーブされるサブフレームである。また、上りリンクサブフレームは、上りリンク送信のためにリザーブされるサブフレームである。また、スペシャルサブフレームは、３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。単一の無線フレームは、少なくとも、下りリンクサブフレーム、上りリンクサブフレーム、およびスペシャルサブフレームから構成される。
【００６４】
ＤｗＰＴＳ、ＧＰ、およびＵｐＰＴＳの合計の長さは１ｍｓである。ＤｗＰＴＳは、下りリンク送信のためにリザーブされるフィールドである。ＵｐＰＴＳは、上りリンク送信のためにリザーブされるフィールドである。ＧＰは、下りリンク送信および上りリンク送信が行われないフィールドである。スペシャルサブフレームは、ＤｗＰＴＳおよびＧＰのみによって構成されても良い。また、スペシャルサブフレームは、ＧＰおよびＵｐＰＴＳのみによって構成されても良い。
【００６５】
例えば、基地局装置３は、スペシャルサブフレームがＤｗＰＴＳおよびＧＰのみによって構成されることを、端末装置１に通知（設定）しても良い。また、基地局装置３は、スペシャルサブフレームが、ＧＰおよびＵｐＰＴＳのみによって構成されることを、端末装置１に通知（設定）しても良い。基地局装置３は、システムインフォメーションブロックタイプ１メッセージを用いて、スペシャルサブフレームの構成を示す情報を送信しても良い。
【００６６】
また、無線フレームにおいて、５ｍｓと１０ｍｓの下りリンク−上りリンク・スイッチポイント周期（downlink-to-uplink switch-point periodicity）がサポートされる。下りリンク‐上りリンク・スイッチポイント周期が５ｍｓの場合には、無線フレーム内の両方のハーフフレームに、スペシャルサブフレームが含まれる。また、下りリンク‐上りリンク・スイッチポイント周期が１０ｍｓの場合には、無線フレーム内の最初のハーフフレームのみに、スペシャルサブフレームが含まれる。
【００６７】
図３は、本実施形態におけるスロットの構成の例を示す図である。スロットのそれぞれにおいて送信される物理信号または物理チャネルは、リソースグリッドによって表現される。下りリンクにおいて、リソースグリッドは、複数のサブキャリアと複数のＯＦＤＭシンボルによって定義される。上りリンクにおいて、リソースグリッドは、複数のサブキャリアと複数のＳＣ−ＦＤＭＡシンボルによって定義される。
【００６８】
ここで、１つのスロットを構成するサブキャリアの数は、セルの帯域幅に依存する。例えば、１つのスロットを構成するＯＦＤＭシンボルまたはＳＣ−ＦＤＭＡシンボルの数は７である。また、リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別される。
【００６９】
リソースブロックは、ある物理チャネル（例えば、ＰＤＳＣＨ、ＰＵＳＣＨなど）のリソースエレメントへのマッピングを表現するために用いられる。例えば、１つの物理リソースブロックは、時間領域において７個の連続するＯＦＤＭシンボルまたはＳＣ−ＦＤＭＡシンボルと、周波数領域において１２個の連続するサブキャリアとから定義される。すなわち、１つの物理リソースブロックは、（７×１２）個のリソースエレメントから構成される。また、１つの物理リソースブロックは、時間領域において１つのスロットに対応し、周波数領域において１８０ｋＨｚに対応する。
【００７０】
図４は、下りリンクサブフレームにおける物理チャネルおよび物理信号のマッピングの例を示す図である。基地局装置３は、下りリンクサブフレームにおいて、下りリンク物理チャネル、および、下りリンク物理信号を送信することができる。
【００７１】
例えば、ＰＢＣＨは、無線フレームにおけるサブフレーム０のみで送信される。また、下りリンク参照信号は、周波数領域および時間領域において分散するリソースエレメントにマップされる。ここで、説明の簡略化のため、図４において下りリンク参照信号は図示しない。
【００７２】
また、ＰＤＣＣＨ領域において、複数のＰＤＣＣＨが周波数および時間多重されても良い。また、ＥＰＤＣＣＨ領域において、複数のＥＰＤＣＣＨが周波数、時間、および空間多重されても良い。また、ＰＤＳＣＨ領域において、複数のＰＤＳＣＨが周波数および空間多重されても良い。また、ＰＤＣＣＨと、ＰＤＳＣＨまたはＥＰＤＣＣＨは時間多重されても良い。また、ＰＤＳＣＨとＥＰＤＣＣＨは周波数多重されても良い。
【００７３】
図５は、上りリンクサブフレームにおける物理チャネルおよび物理信号のマッピングの例を示す図である。端末装置１は、上りリンクサブフレームにおいて、上りリンク物理チャネル、および、上りリンク物理信号を送信することができる。
【００７４】
例えば、ＰＵＣＣＨ領域において、複数のＰＵＣＣＨが周波数、時間、および符合多重されても良い。また、ＰＵＳＣＨ領域において、複数のＰＵＳＣＨが周波数および空間多重されても良い。また、ＰＵＣＣＨとＰＵＳＣＨは、周波数多重されても良い。また、ＰＲＡＣＨは、単一のサブフレームまたは２つのサブフレームに渡って配置されても良い。また、複数のＰＲＡＣＨは、符号多重されても良い。
【００７５】
また、ＳＲＳは、上りリンクサブフレームにおける最後のＳＣ−ＦＤＭＡシンボルを用いて送信されても良い。端末装置１は、単一のセルにおいて、単一のＳＣ−ＦＤＭＡシンボルを用いて、ＳＲＳと、ＰＵＣＣＨ／ＰＵＳＣＨ／ＰＲＡＣＨを同時に送信することはできない。
【００７６】
また、端末装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。すなわち、端末装置１は、単一のセルの単一の上りリンクサブフレームにおいて、ＳＲＳとＰＵＳＣＨ／ＰＵＣＣＨの両方を送信することができる。また、ＤＭＲＳは、ＰＵＣＣＨまたはＰＵＳＣＨと時間多重される。ここで、説明の簡略化のため、図５においてＤＭＲＳは図示しない。
【００７７】
図６は、スペシャルサブフレームにおける物理チャネルおよび物理信号のマッピングの例を示す図である。図６において、ＤｗＰＴＳは、スペシャルサブフレームにおける１番目から９番目のＳＣ−ＦＤＭＡシンボルから構成される。また、ＧＰは、スペシャルサブフレームにおける１０番目から１２番目のＳＣ−ＦＤＭＡシンボルから構成される。また、ＵｐＰＴＳは、スペシャルサブフレームにおける１３番目と１４番目のＳＣ−ＦＤＭＡシンボルから構成される。
【００７８】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信しても良い。また、基地局装置３は、スペシャルサブフレームのＤｗＰＴＳにおいて、ＰＢＣＨを送信しなくても良い。
【００７９】
また、端末装置１は、スペシャルサブフレームのＵｐＰＴＳにおいて、ＰＲＡＣＨ、およびＳＲＳを送信しても良い。また、端末装置１は、スペシャルサブフレームのＵｐＰＴＳにおいて、ＰＵＣＣＨ、ＰＵＳＣＨ、およびＤＭＲＳを送信しなくても良い。
【００８０】
また、端末装置１は、スペシャルサブフレームがＧＰおよびＵｐＰＴＳのみによって構成されている場合には、スペシャルサブフレームのＵｐＰＴＳにおいて、ＰＵＣＣＨおよび／またはＰＵＳＣＨおよび／またはＤＭＲＳを送信しても良い。
【００８１】
ここで、端末装置１は、ＰＤＣＣＨ候補（PDCCH candidates）および／またはＥＰＤＣＣＨ候補（EPDCCH candidates）のセットをモニタする。以下、説明の簡略化のために、ＰＤＣＣＨは、ＥＰＤＣＣＨを含む。ＰＤＣＣＨ候補とは、基地局装置３によって、ＰＤＣＣＨがマップおよび送信される可能性のある候補を示している。また、ＰＤＣＣＨ候補は、１つまたは複数の制御チャネル要素（CCE: Control Channel Element）から構成される。また、モニタとは、モニタされる全てのＤＣＩフォーマットに応じて、ＰＤＣＣＨ候補のセット内のＰＤＣＣＨそれぞれに対して、端末装置１がデコードを試みるということを意味する。
【００８２】
ここで、端末装置１が、モニタするＰＤＣＣＨ候補のセットは、サーチスペースとも称される。サーチスペースとは、基地局装置３によってＰＤＣＣＨの送信に用いられる可能性のあるリソースのセットである。ＰＤＣＣＨ領域には、コモンサーチスペース（CSS: Common Search Space）とユーザー装置スペシフィックサーチスペース（USS: UE-specific Search Space）が構成（定義、設定）される。
【００８３】
ＣＳＳは、複数の端末装置１に対する下りリンク制御情報の送信に用いられる。すなわち、ＣＳＳは、複数の端末装置１に対して共通のリソースによって定義される。また、ＵＳＳは、ある特定の端末装置１に対する下りリンク制御情報の送信に用いられる。すなわち、ＵＳＳは、ある特定の端末装置１に対して専用のリソースによって定義される。
【００８４】
端末装置１は、ＰＤＣＣＨ領域のＣＳＳおよび／またはＵＳＳにおいてＰＤＣＣＨをモニタし、自装置宛てのＰＤＣＣＨを検出する。
【００８５】
また、下りリンク制御情報の送信（ＰＤＣＣＨでの送信）には、基地局装置３が端末装置１に割り当てたＲＮＴＩが利用される。具体的には、ＤＣＩフォーマット（下りリンク制御情報でも良い）にＣＲＣ（Cyclic Redundancy Check: 巡回冗長検査）パリティビットが付加され、付加された後に、ＣＲＣパリティビットがＲＮＴＩによってスクランブルされる。
【００８６】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。すなわち、端末装置１は、ＲＮＴＩによってスクランブルされたＣＲＣを伴うＰＤＣＣＨに対してデコードを試み、ＣＲＣが成功したＰＤＣＣＨを、自装置宛のＰＤＣＣＨとして検出する。
【００８７】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用されるユニークな（一意的な）識別子である。Ｃ−ＲＮＴＩは、動的にスケジュールされるユニキャスト送信のために利用される。
【００８８】
また、ＲＮＴＩには、Ｔｅｍｐｏｒａｒｙ  Ｃ−ＲＮＴＩが含まれる。Ｔｅｍｐｏｒａｒｙ  Ｃ−ＲＮＴＩは、ランダムアクセスプロシージャに対して使用される識別子である。例えば、端末装置１は、Ｔｅｍｐｏｒａｒｙ  Ｃ−ＲＮＴＩによってスクランブルされたＣＲＣが付加されたＤＣＩフォーマットを、コモンサーチスペースのみでデコードしても良い。
【００８９】
ランダムアクセスプロシージャには、コンテンションベースのランダムアクセスプロシージャ（Contention based Random Access procedure）とノンコンテンションベースのランダムアクセスプロシージャ（Non-contention based Random Access procedure）の２つのランダムアクセスプロシージャが含まれる。コンテンションベースのランダムアクセスプロシージャは、複数の端末装置１間で衝突が発生する可能性のあるランダムアクセスである。
【００９０】
また、ノンコンテンションベースのランダムアクセスプロシージャは、複数の端末装置１間で衝突が発生しないランダムアクセスである。例えば、ノンコンテンションベースのランダムアクセスプロシージャにおいて、基地局装置３は、衝突が発生しないように、ランダムアクセスプリアンブルを端末装置１に対して割り当てることができる。
【００９１】
本実施形態に関わるランダムアクセスプロシージャは、コンテンションベースのランダムアクセスプロシージャである。コンテンションベースのランダムアクセスプロシージャの例を説明する。
【００９２】
端末装置１は、基地局装置３によって送信されたシステムインフォメーションブロックタイプ２（ＳＩＢ２）を取得する。ＳＩＢ２は、セル内における全ての端末装置１（または、複数の端末装置１）に対して共通の設定（共通の情報）である。例えば、該共通の設定には、ＰＲＡＣＨの設定が含まれる。
【００９３】
端末装置１は、ランダムアクセスプリアンブルの番号をランダムに選択する。また、端末装置１は、選択した番号のランダムアクセスプリアンブル（メッセージ１）を、ＰＲＡＣＨを用いて基地局装置３に送信する。基地局装置３は、ランダムアクセスプリアンブルを用いて上りリンクの送信タイミングを推定する。
【００９４】
基地局装置３は、ＰＤＳＣＨを用いてランダムアクセスレスポンス（メッセージ２）を送信する。ランダムアクセスレスポンスには、基地局装置３によって検出されたランダムアクセスプリアンブルに対する複数の情報が含まれる。例えば、該複数の情報には、ランダムアクセスプリアンブルの番号、Ｔｅｍｐｏｒａｒｙ  Ｃ−ＲＮＴＩ、ＴＡコマンド（Timing Advance Command）、および、ランダムアクセスレスポンスグラントが含まれる。
【００９５】
端末装置１は、ランダムアクセスレスポンスグラントを用いてスケジューリングされたＰＵＳＣＨで、上りリンクデータ（メッセージ３）を送信（初期送信）する。該上りリンクデータには、端末装置１を識別するための識別子（InitialUE-IdentityまたはC-RNTIを示す情報）が含まれる。
【００９６】
基地局装置３は、上りリンクデータの復号に失敗した場合、Ｔｅｍｐｏｒａｒｙ  Ｃ−ＲＮＴＩによってスクランブルされたＣＲＣパリティビットが付加されたＤＣＩフォーマットを用いて、上りリンクデータの再送信を指示する。端末装置１は、該ＤＣＩフォーマットによって上りリンクデータの再送信を指示された場合、Ｔｅｍｐｏｒａｒｙ  Ｃ−ＲＮＴＩによってスクランブルされたＣＲＣパリティビットが付加されたＤＣＩフォーマットを用いてスケジュールされたＰＵＳＣＨで、同一の上りリンクデータを再送信する。
【００９７】
また、基地局装置３は、上りリンクデータの復号に失敗した場合、ＰＨＩＣＨ（ＮＡＣＫ）を用いて、上りリンクデータの再送信を指示することができる。端末装置１は、該ＮＡＣＫによって上りリンクデータの再送信を指示された場合、ＰＵＳＣＨで、同一の上りリンクデータを再送信する。
【００９８】
基地局装置は、上りリンクデータの復号に成功し、上りリンクデータを取得することによって、何れの端末装置１がランダムアクセスプリアンブルおよび上りリンクデータの送信を行っていたかを知ることができる。すなわち、基地局装置３は、上りリンクデータの復号に成功する前は、何れの端末装置１がランダムアクセスプリアンブルおよび上りリンクデータの送信を行っているかを知ることはできない。
【００９９】
基地局装置３は、InitialUE-Identityを含むメッセージ３を受信した場合、受信したInitialUE-Identityに基づいて生成したコンテンションレゾリューション識別子（contention resolution identity）（メッセージ４）を、ＰＤＳＣＨを用いて端末装置１に送信する。端末装置１は、受信したコンテンションレゾリューション識別子と、送信したInitialUE-Identityがマッチした場合に、（１）ランダムアクセスプリアンブルのコンテンションレゾリューションに成功したとみなし、（２）Ｔｅｍｐｏｒａｒｙ  Ｃ−ＲＮＴＩの値をＣ−ＲＮＴＩにセットし、（３）Ｔｅｍｐｏｒａｒｙ  Ｃ−ＲＮＴＩを破棄し、（４）ランダムアクセスプロシージャが正しく完了したとみなす。
【０１００】
また、基地局装置３は、Ｃ−ＲＮＴＩを示す情報を含むメッセージ３を受信した場合、受信したＣ−ＲＮＴＩによってスクランブルされたＣＲＣパリティビットが付加されたＤＣＩフォーマット（メッセージ４）を、端末装置１に送信する。端末装置１は、Ｃ−ＲＮＴＩによってスクランブルされたＣＲＣパリティビットが付加されたＤＣＩフォーマットをデコードした場合に、（１）ランダムアクセスプリアンブルのコンテンションレゾリューションに成功したとみなし、（２）Ｔｅｍｐｏｒａｒｙ  Ｃ−ＲＮＴＩを破棄し、（３）ランダムアクセスプロシージャが正しく完了したとみなす。
【０１０１】
すなわち、基地局装置３は、コンテンションベースのランダムアクセスプロシージャの一環として（as part of contention based random access procedure）、ランダムアクセスレスポンスグラントを用いて、ＰＵＳＣＨをスケジュールする。
【０１０２】
端末装置１は、ランダムアクセスレスポンスグラントを用いてスケジュールされたＰＵＳＣＨで、上りリンクデータ（メッセージ３）を送信する。すなわち、端末装置１は、コンテンションベースのランダムアクセスプロシージャの一環として、ランダムアクセスレスポンスグラントに対応するＰＵＳＣＨでの送信を行う。
【０１０３】
また、基地局装置３は、コンテンションベースのランダムアクセスプロシージャの一環として、Ｔｅｍｐｏｒａｒｙ  Ｃ−ＲＮＴＩによってスクランブルされたＣＲＣが付加されたＤＣＩフォーマットを用いて、ＰＵＳＣＨをスケジュールする。また、基地局装置３は、コンテンションベースのランダムアクセスプロシージャの一環として、ＰＨＩＣＨ（ＮＡＣＫ）を用いて、ＰＵＳＣＨでの送信をスケジュール／指示する。
【０１０４】
端末装置１は、Ｔｅｍｐｏｒａｒｙ  Ｃ−ＲＮＴＩによってスクランブルされたＣＲＣが付加されたＤＣＩフォーマットを用いてスケジュールされたＰＵＳＣＨで、上りリンクデータ（メッセージ３）を送信（再送信）する。また、端末装置１は、ＰＨＩＣＨの受信に応じて、スケジュールされたＰＵＳＣＨで、上りリンクデータ（メッセージ３）を送信（再送信）する。すなわち、端末装置１は、コンテンションベースのランダムアクセスプロシージャの一環として、同一の上りリンクデータ（トランスポートブロック）の再送信に対応するＰＵＳＣＨでの送信を行う。
【０１０５】
図７は、本実施形態における端末装置１の構成を示す概略ブロック図である。端末装置１は、データ制御部１０１と、送信データ変調部１０２と、無線部１０３と、スケジューリング部１０４と、チャネル推定部１０５と、受信データ復調部１０６と、データ抽出部１０７と、上位層１０８（上位層処理部とも称する）、アンテナ１０９と、を含んで構成される。また、データ制御部１０１、送信データ変調部１０２、無線部１０３、スケジューリング部１０４、上位層１０８、アンテナ１０９で送信部を構成する。また、無線部１０３、スケジューリング部１０４、チャネル推定部１０５、受信データ復調部１０６、データ抽出部１０７、上位層１０８、アンテナ１０９で受信部を構成する。ここで、端末装置１を構成する各部を、ユニットとも呼称する。
【０１０６】
データ制御部１０１は、スケジューリング部１０４からトランスポートチャネルを受信する。また、データ制御部１０１は、トランスポートチャネルと物理層で生成される信号を、スケジューリング部１０４から入力されるスケジューリング情報に基づいて、物理チャネルにマッピングする。マッピングされた各データは、送信データ変調部１０２へ出力される。
【０１０７】
送信データ変調部１０２は、送信データを変調／符号化する。送信データ変調部１０２は、データ制御部１０１から入力されたデータに対して、変調／符号化、入力信号の直列／並列変換、ＩＦＦＴ処理、ＣＰ挿入などの信号処理を行い、送信データを生成して、無線部１０３へ出力する。
【０１０８】
無線部１０３は、送信データ変調部１０２から入力された送信データを無線周波数にアップコンバートして無線信号を生成し、アンテナ１０９を介して、基地局装置３に送信する。また、無線部１０３は、基地局装置３から受信した無線信号を、アンテナ１０９を介して受信し、ベースバンド信号にダウンコンバートして、受信データを、チャネル推定部１０５および受信データ復調部１０６に出力する。
【０１０９】
スケジューリング部１０４は、論理チャネルとトランスポートチャネルのマッピング、下りリンクおよび上りリンクのスケジューリングなどを行う。スケジューリング部１０４は、各物理層の処理部を統合して制御するため、スケジューリング部１０４と、アンテナ１０９、データ制御部１０１、送信データ変調部１０２、チャネル推定部１０５、受信データ復調部１０６、データ抽出部１０７および無線部１０３との間のインターフェースが存在する。
【０１１０】
また、スケジューリング部１０４は、下りリンクのスケジューリングでは、基地局装置３から受信した下りリンク制御情報や上位層１０８から入力されたスケジューリング情報などに基づいて、トランスポートチャネルおよび物理チャネルにおける受信制御やスケジューリング情報の生成を行う。これら下りリンクのスケジューリングに使用されるスケジューリング情報は、データ制御部１０１へ出力される。
【０１１１】
また、スケジューリング部１０４は、上りリンクのスケジューリングでは、基地局装置３から受信した下りリンク制御情報や上位層１０８から入力されたスケジューリング情報などに基づいて、上位層１０８から入力された上りリンクの論理チャネルをトランスポートチャネルにマッピングするためのスケジューリング処理、および、上りリンクのスケジューリングに使用されるスケジューリング情報の生成を行う。これらスケジューリング情報は、データ制御部１０１へ出力される。
【０１１２】
また、スケジューリング部１０４は、上位層１０８から入力された上りリンクの論理チャネルをトランスポートチャネルにマッピングし、データ制御部１０１へ出力する。また、スケジューリング部１０４は、チャネル推定部１０５から入力されたチャネル状態情報や、データ抽出部１０７から入力されたＣＲＣパリティビット（単に、ＣＲＣとも称される）の確認結果についても、データ制御部１０１へ出力する。
【０１１３】
また、スケジューリング部１０４は、第１の設定および／または第２の設定および／または第３の設定に基づいて、受信処理および送信処理を行うタイミングを決定する。
【０１１４】
チャネル推定部１０５は、下りリンクデータの復調のために、下りリンク参照信号（例えば、ＤＭＲＳ）から下りリンクのチャネル状態を推定し、受信データ復調部１０６に出力する。また、受信データ復調部１０６は、無線部１０３から入力された受信データを復調し、データ抽出部１０７に出力する。
【０１１５】
データ抽出部１０７は、受信データ復調部１０６から入力された受信データに対して、正誤を確認するとともに、確認結果（例えば、ＡＣＫまたはＮＡＣＫ）をスケジューリング部１０４に出力する。また、データ抽出部１０７は、受信データ復調部１０６から入力された受信データからトランスポートチャネルと物理層の制御データに分離して、スケジューリング部１０４に出力する。
【０１１６】
上位層１０８は、ＲＲＣ層の処理やＭＡＣ層の処理を行う。上位層１０８は、下位層の処理部を統合して制御するため、上位層１０８と、スケジューリング部１０４、アンテナ１０９、データ制御部１０１、送信データ変調部１０２、チャネル推定部１０５、受信データ復調部１０６、データ抽出部１０７および無線部１０３との間のインターフェースが存在する。
【０１１７】
また、上位層１０８は、第１の設定、第２の設定および第３の設定を管理する。すなわち、基地局装置から受信した、第１の情報に基づいて第１の設定をセットし、第２の情報に基づいて第２の設定をセットし、第２の情報に基づいて第３の設定をセットする。
【０１１８】
図８は、本実施形態における基地局装置３の構成を示す概略ブロック図である。基地局は、データ制御部３０１と、送信データ変調部３０２と、無線部３０３と、スケジューリング部３０４と、チャネル推定部３０５と、受信データ復調部３０６と、データ抽出部３０７と、上位層３０８（上位層処理部とも称する）と、アンテナ３０９と、を含んで構成される。また、無線部３０３、スケジューリング部３０４、チャネル推定部３０５、受信データ復調部３０６、データ抽出部３０７、上位層３０８およびアンテナ３０９で受信部を構成する。また、データ制御部３０１、送信データ変調部３０２、無線部３０３、スケジューリング部３０４、上位層３０８およびアンテナ３０９で送信部を構成する。ここで、基地局を構成する各部を、ユニットとも呼称する。
【０１１９】
データ制御部３０１は、スケジューリング部３０４からトランスポートチャネルを受信する。データ制御部３０１は、トランスポートチャネルと物理層で生成される信号を、スケジューリング部３０４から入力されるスケジューリング情報に基づいて、物理チャネルにマッピングする。マッピングされた各データは、送信データ変調部３０２へ出力される。
【０１２０】
送信データ変調部３０２は、送信データを変調／符号化する。送信データ変調部３０２は、データ制御部３０１から入力されたデータに対して、スケジューリング部３０４からのスケジューリング情報などに基づいて、変調／符号化、入力信号の直列／並列変換、ＩＦＦＴ（逆高速フーリエ変換：Ｉｎｖｅｒｓｅ  Ｆａｓｅ  Ｆｏｕｒｉｅｒ  Ｔｒａｎｓｆｏｒｍ）処理、ＣＰ（Ｃｙｃｌｉｃ  Ｐｒｅｆｉｘ）挿入などの信号処理を行い、送信データを生成して、無線部３０３へ出力する。
【０１２１】
無線部３０３は、送信データ変調部３０２から入力された送信データを無線周波数にアップコンバートして無線信号を生成し、アンテナ３０９を介して、端末装置１に送信する。また、無線部３０３は、端末装置１から受信した無線信号を、アンテナ３０９を介して受信し、ベースバンド信号にダウンコンバートして、受信データをチャネル推定部１０５と受信データ復調部１０６とに出力する。
【０１２２】
スケジューリング部３０４は、論理チャネルとトランスポートチャネルのマッピング、下りリンクおよび上りリンクのスケジューリングなどを行う。スケジューリング部３０４は、各物理層の処理部を統合して制御するため、スケジューリング部３０４と、アンテナ３０９、無線部３０３、チャネル推定部３０５、受信データ復調部３０６、データ制御部３０１、送信データ変調部３０２およびデータ抽出部３０７との間のインターフェースが存在する。
【０１２３】
また、スケジューリング部３０４は、下りリンクのスケジューリングでは、端末装置１から受信した上りリンク制御情報や上位層３０８から入力されたスケジューリング情報などに基づいて、トランスポートチャネルおよび物理チャネルにおける送信制御やスケジューリング情報の生成を行う。これら下りリンクのスケジューリングに使用されるスケジューリング情報は、データ制御部３０１へ出力される。
【０１２４】
また、スケジューリング部３０４は、上りリンクのスケジューリングでは、チャネル推定部３０５が出力する上りリンクのチャネル状態や上位層３０８から入力されたスケジューリング情報などに基づいて、スケジューリング情報の生成を行う。これら上りリンクのスケジューリングに使用されるスケジューリング情報は、データ制御部３０１へ出力される。
【０１２５】
また、スケジューリング部３０４は、上位層３０８から入力された下りリンクの論理チャネルをトランスポートチャネルにマッピングし、データ制御部３０１へ出力する。また、スケジューリング部３０４は、データ抽出部３０７から入力された上りリンクのトランスポートチャンネルと制御データを、必要に応じて処理した後に、上りリンクの論理チャネルにマッピングし、上位層３０８へ出力する。
【０１２６】
また、スケジューリング部３０４は、スケジューリング結果に基づいて、物理チャネル（例えば、ＰＤＳＣＨ、ＰＵＳＣＨなど）のスケジューリングに用いられる情報を生成する。また、スケジューリング部３０４は、第１の設定および／または第２の設定および／または第３の設定に基づいて、送信処理および受信処理を行うタイミングを決定する。
【０１２７】
チャネル推定部３０５は、上りリンクデータの復調のために、上りリンク参照信号（例えば、ＤＭＲＳ）から上りリンクのチャネル状態を推定し、受信データ復調部３０６に出力する。また、上りリンクのスケジューリングを行うために、上りリンク参照信号（例えば、ＳＲＳ）から上りリンクのチャネル状態を推定し、スケジューリング部３０４に出力する。
【０１２８】
受信データ復調部３０６は、受信データを復調する。受信データ復調部３０６は、チャネル推定部３０５から入力された上りリンクのチャネル状態の推定結果に基づいて、無線部３０３から入力された変調データに対し、ＤＦＴ変換、サブキャリアマッピング、ＩＦＦＴ変換などの信号処理を行って、復調処理を施し、データ抽出部３０７に出力する。
【０１２９】
データ抽出部３０７は、受信データ復調部３０６から入力された受信データに対して、正誤を確認するとともに、確認結果（例えば、ＡＣＫまたはＮＡＣＫ）をスケジューリング部３０４に出力する。また、データ抽出部３０７は、受信データ復調部３０６から入力されたデータからトランスポートチャネルと物理層の制御データとに分離して、スケジューリング部３０４に出力する。
【０１３０】
上位層３０８は、ＲＲＣ層の処理やＭＡＣ層の処理を行う。上位層３０８は、下位層の処理部を統合して制御するため、上位層３０８と、スケジューリング部３０４、アンテナ３０９、無線部３０３、チャネル推定部３０５、受信データ復調部３０６、データ制御部３０１、送信データ変調部３０２およびデータ抽出部３０７との間のインターフェースが存在する。
【０１３１】
また、上位層３０８は、第１の設定、第２の設定および第３の設定の管理を、端末装置１のそれぞれに対して行う。また、上位層３０８は、第１の設定を示す第１の情報、第２の設定を示す第２の情報、第３の設定を示す第３の情報を生成する。
【０１３２】
ここで、基地局装置３は、端末装置１に対する、第１の設定および／または第２の設定および／または第３の設定を決定しても良い。また、基地局装置３は、端末装置１に対する、第１の設定および／または第２の設定および／または第３の設定を、上位ノードから指示されても良い。例えば、上位層１０８は、上りリンクのトラフィック量および下りリンクのトラフィック量に基づいて、第１の設定、第２の設定および第３の設定を決定しても良い。
【０１３３】
第１の設定、第２の設定および第３の設定について説明する。以下の説明において、端末装置１は、通常のＨＡＲＱオペレーションを実行することとする。すなわち、端末装置１は、サブフレームバンドリングオペレーションをサポートすることが可能であるが、以下に記載の動作は、通常のＨＡＲＱオペレーションを実行する場合に適用される。
【０１３４】
端末装置１は、第１の設定および／または第２の設定および／または第３の設定をセットする。例えば、第１の設定および／または第２の設定および／または第３の設定は、上りリンク−下りリンク設定（Uplink - Downlink configuration）に基づいて定義されても良い。
【０１３５】
図９は、上りリンク−下りリンク設定の例を示す表である。図９において、Ｄは下りリンクサブフレームを示している。また、Ｕは上りリンクサブフレームを示している。また、Ｓはスペシャルサブフレームを示している。
【０１３６】
例えば、図９に示すように、無線サブフレームにおけるサブフレーム１は、常に、スペシャルサブフレームとして定義される。また、無線サブフレームにおけるサブフレーム０と５は、常に、下りリンクサブフレームとして定義される。また、無線サブフレームにおけるサブフレーム２は、常に、上りリンクサブフレームとして定義される。
【０１３７】
また、下りリンク−上りリンク・スイッチポイント周期が５ｍｓの場合に、無線フレームにおけるサブフレーム６は、スペシャルサブフレームとして定義される。また、下りリンク−上りリンク・スイッチポイント周期が１０ｍｓの場合に、無線フレームにおけるサブフレーム６は、下りリンクサブフレームとして定義される。
【０１３８】
すなわち、上りリンク−下りリンク設定は、無線フレームにおけるサブフレームのパターンに関する設定であっても良い。上りリンク−下りリンク設定は、無線フレームにおけるサブフレームの構成に関する設定であっても良い。すなわち、上りリンク−下りリンク設定は、下りリンクサブフレーム、上りリンクサブフレームおよびスペシャルサブフレームから成る無線フレームの構成に関する設定であっても良い。
【０１３９】
第１の設定について説明する。例えば、第１の設定は、ＰＤＣＣＨ／ＥＰＤＣＣＨ／ＰＨＩＣＨが配置されるサブフレームｎと、該ＰＤＣＣＨ／ＥＰＤＣＣＨ／ＰＨＩＣＨが対応するＰＵＳＣＨが配置されるサブフレームｎ＋ｋとの対応を特定する（以下、“特定する”は、少なくとも、“選択する”、“決定する”、“指示する”の意味を含む）ために用いられても良い。
【０１４０】
また、第１の設定は、ＰＨＩＣＨが配置されるサブフレームｎと、前記ＰＨＩＣＨが対応するＰＵＳＣＨが配置されるサブフレームｎ−ｋとの対応を特定するために用いられても良い。また、第１の設定は、ＰＵＳＣＨが配置されるサブフレームｎと、前記ＰＵＳＣＨが対応するＰＨＩＣＨが配置されるサブフレームｎ＋ｋとの対応を特定するために用いられても良い。
【０１４１】
また、第１の設定は、上りリンクデータに対するＨＡＲＱタイミングを特定するために用いられても良い。すなわち、第１の設定は、ＨＡＲＱインディケータ（ＰＨＩＣＨ）の送信タイミング（または、受信タイミング）を特定するために用いられても良い。
【０１４２】
また、第１の設定は、上りリンクグラント（上りリンクグラントを伴うＰＤＣＣＨ／ＥＰＤＣＣＨでも良い）をモニタするサブフレームを特定するために用いられても良い。ここで、上りリンクグラントを伴うＰＤＣＣＨ／ＥＰＤＤＣＨは、上りリンクグラントの送信に用いられるＰＤＣＣＨ／ＥＰＤＤＣＨの意味を含む。
【０１４３】
すなわち、第１の設定は、上りリンク信号の送信が可能なサブフレームを特定するために用いられても良い。端末装置１は、基地局装置３によってスケジュールされた場合には、第１の設定に基づいて特定されるサブフレームにおいて、上りリンク信号を送信することができる。第１の設定は、上りリンク信号の送信タイミングを特定するために用いられても良い。
【０１４４】
また、第１の設定は、上りリンク信号の送信を行うサブフレームを特定するために用いられても良い。すなわち、第１の設定は、ＰＵＳＣＨでの送信を行うサブフレームを特定するために用いられても良い。また、第１の設定は、ＳＲＳの送信を行うサブフレームを特定するために用いられても良い。
【０１４５】
第１の設定は、上りリンク信号のスケジュールが可能なサブフレームを特定するために用いられても良い。第１の設定は、上りリンク信号の設定が可能なサブフレームを特定するために用いられても良い。
【０１４６】
図１０は、第１の設定を説明するための図である。図１０では、第１の設定として、上りリンク−下りリンク設定０から６が記載されている。図１０において、ＰＤＣＣＨ／ＥＰＤＣＣＨ／ＰＨＩＣＨが配置されるサブフレームｎと、前記ＰＤＣＣＨ／ＥＰＤＣＣＨ／ＰＨＩＣＨが対応するＰＵＳＣＨが配置されるサブフレームｎ＋ｋとの対応が示されている。
【０１４７】
端末装置１は、図１０に示される表に基づいてｋの値を特定する。ここで、サブフレームｎおよびサブフレームｎ＋ｋは、端末装置１に対して（端末装置１側で）意図されるサブフレームである。
【０１４８】
例えば、上りリンク−下りリンク設定１から６をセットしている端末装置１は、サブフレームｎにおいて上りリンクグラントを伴うＰＤＣＣＨ／ＥＰＤＤＣＨを検出した場合に、図１０の表に基づいて特定されるサブフレームｎ＋ｋにおいて該上りリンクグラントに対応するＰＵＳＣＨでの送信を行う。ここで、該上りリンクグラントに対応するＰＵＳＣＨでの送信は、該上りリンクグラントを用いてスケジュールされたＰＵＳＣＨでの送信の意味を含む。また、送信を行うとは、ＰＵＳＣＨでの送信を調整(adjust)することの意味を含む。
【０１４９】
また、上りリンク−下りリンク設定１から６をセットしている端末装置１は、サブフレームｎにおいてＰＨＩＣＨでの送信を検出した場合に、図１０の表に基づいて特定されるサブフレームｎ＋ｋにおいて該ＰＨＩＣＨに対応するＰＵＳＣＨでの送信を行う。
【０１５０】
ここで、上りリンク−下りリンク設定０が設定された端末装置１に対して送信される上りリンクグラントには、２ビットの上りリンクインデックス（UL index）が含まれる。
【０１５１】
上りリンク−下りリンク設定０をセットしている端末装置１は、上りリンクグラントを伴うＰＤＣＣＨ／ＥＰＤＤＣＨを検出し、もし、上りリンクグラントに含まれる上りリンクインデックスのＭＳＢ（Most Significant Bit）が１にセットされている場合には、図１０の表に基づいて特定されるサブフレームｎ＋ｋにおいて該上りリンクグラントに対応するＰＵＳＣＨでの送信を行う。
【０１５２】
また、上りリンク−下りリンク設定０をセットしている端末装置１は、サブフレームｎ＝０または５における第１のリソースセットにおいてＰＨＩＣＨを受信した場合には、図１０の表に基づいて特定されるサブフレームｎ＋ｋにおいて該ＰＨＩＣＨに対応するＰＵＳＣＨでの送信を行う。
【０１５３】
また、上りリンク−下りリンク設定０をセットしている端末装置１は、サブフレームｎにおいて上りリンクグラントに含まれる上りリンクインデックスのＬＳＢ（Least Significant Bit）が１にセットされている場合には、サブフレームｎ＋７において該上りリンクグラントに対応するＰＵＳＣＨでの送信を行う。
【０１５４】
また、上りリンク−下りリンク設定０をセットしている端末装置１は、サブフレームｎ＝０または５における第２のリソースセットにおいてＰＨＩＣＨを受信した場合、または、サブフレームｎ＝１または６においてＰＨＩＣＨを受信した場合には、サブフレームｎ＋７において該上りリンクグラントに対応するＰＵＳＣＨでの送信を行う。
【０１５５】
また、例えば、上りリンク−下りリンク設定０をセットしている端末装置１は、[ＳＦＮ＝ｍ、サブフレーム１]においてＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨの送信を行う。
【０１５６】
図１１は、第１の設定を説明するための別の図である。図１１では、第１の設定として、上りリンク−下りリンク設定０から６が記載されている。図１１において、ＰＨＩＣＨが配置されるサブフレームｎと、前記ＰＨＩＣＨが対応するＰＵＳＣＨが配置されるサブフレームｎ−ｋとの対応が示されている。
【０１５７】
端末装置１は、図１１に示される表に基づいてｋの値を特定する。ここで、サブフレームｎおよびサブフレームｎ−ｋは、端末装置１に対して（端末装置１側で）意図されるサブフレームである。
【０１５８】
例えば、端末装置１が、上りリンク−下りリンク設定０をセットしている場合には、サブフレームｎにおいて端末装置１に割り当てられたＰＨＩＣＨで受信されるＨＡＲＱ−ＡＣＫ（ＨＡＲＱインディケータでも良い）は、図１１の表に基づいて特定されるサブフレームｎ−ｋにおけるＰＵＳＣＨでの送信に関連する。
【０１５９】
また、端末装置１が、上りリンク−下りリンク設定０をセットしている場合には、サブフレームｎ＝０または５における第１のリソースセット、または、サブフレームｎ＝１または６において端末装置１に割り当てられたＰＨＩＣＨで受信されるＨＡＲＱ−ＡＣＫは、図１１の表に基づいて特定されるサブフレームｎ−ｋにおけるＰＵＳＣＨでの送信に関連する。
【０１６０】
また、端末装置１が、上りリンク−下りリンク設定０をセットしている場合には、サブフレームｎ＝０または５における第２のリソースセットにおいて端末装置１に割り当てられたＰＨＩＣＨで受信されるＨＡＲＱ−ＡＣＫは、ｎ−６におけるＰＵＳＣＨでの送信に関連する。
【０１６１】
また、例えば、上りリンク−下りリンク設定１をセットしている端末装置１に対して、[ＳＦＮ＝ｍ、サブフレーム１]においてＰＨＩＣＨで受信したＨＡＲＱ−ＡＣＫは、４つ前のサブフレーム[ＳＦＮ＝ｍ−１、サブフレーム７]におけるＰＵＳＣＨでの送信に関連する。
【０１６２】
図１２は、第１の設定を説明するための別の図である。図１２では、第１の設定として、上りリンク−下りリンク設定０から６が記載されている。図１２において、ＰＵＳＣＨが配置されるサブフレームｎと、前記ＰＵＳＣＨが対応するＰＨＩＣＨが配置されるサブフレームｎ＋ｋとの対応が示されている。
【０１６３】
端末装置１は、図１２に示される表に基づいてｋの値を特定する。ここで、サブフレームｎおよびサブフレームｎ＋ｋは、端末装置１に対して（端末装置１側で）意図されるサブフレームである。端末装置１は、サブフレームｎにおいてＰＵＳＣＨでの送信がスケジュールされた場合には、図１２の表から特定されるサブフレームｎ＋ｋにおいてＰＨＩＣＨリソースを決定する。
【０１６４】
例えば、上りリンク−下りリンク設定０をセットしている端末装置１は、[ＳＦＮ＝ｍ、サブフレームｎ＝２]においてＰＵＳＣＨでの送信がスケジュールされた場合には、[ＳＦＮ＝ｍ、サブフレームｎ＝６]においてＰＨＩＣＨリソースを決定する。
【０１６５】
また、上りリンク−下りリンク設定０をセットしている端末装置１は、[ＳＦＮ＝ｍ、サブフレームｎ＝３]においてＰＵＳＣＨでの送信がスケジュールされた場合には、[ＳＦＮ＝ｍ＋１、サブフレームｎ＝０]における第１のリソースセットの中からＰＨＩＣＨリソースを決定する。
【０１６６】
また、上りリンク−下りリンク設定０をセットしている端末装置１は、[ＳＦＮ＝ｍ、サブフレームｎ＝４]においてＰＵＳＣＨでの送信がスケジュールされた場合には、[ＳＦＮ＝ｍ＋１、サブフレームｎ＝０]における第２のリソースセットの中からＰＨＩＣＨリソースを決定する。
【０１６７】
また、上りリンク−下りリンク設定０をセットしている端末装置１は、[ＳＦＮ＝ｍ、サブフレームｎ＝７]においてＰＵＳＣＨでの送信がスケジュールされた場合には、[ＳＦＮ＝ｍ＋１、サブフレームｎ＝１]においてＰＨＩＣＨリソースを決定する。
【０１６８】
また、上りリンク−下りリンク設定０をセットしている端末装置１は、[ＳＦＮ＝ｍ、サブフレームｎ＝８]においてＰＵＳＣＨでの送信がスケジュールされた場合には、[ＳＦＮ＝ｍ＋１、サブフレームｎ＝５]における第１のリソースセットの中からＰＨＩＣＨリソースを決定する。
【０１６９】
また、上りリンク−下りリンク設定０をセットしている端末装置１は、[ＳＦＮ＝ｍ、サブフレームｎ＝９]においてＰＵＳＣＨ送信がスケジュールされた場合には、[ＳＦＮ＝ｍ＋１、サブフレームｎ＝５]における第２のリソースセットの中からＰＨＩＣＨリソースを決定する。
【０１７０】
第２の設定について説明する。例えば、第２の設定は、ＰＤＳＣＨが配置されるサブフレームｎと、該ＰＤＳＣＨに対応するＨＡＲＱ−ＡＣＫが送信されるサブフレームｎ＋ｋとの対応を特定するために用いられても良い。
【０１７１】
また、第２の設定は、下りリンクデータに対するＨＡＲＱタイミングを特定するために用いられても良い。すなわち、第２の設定は、ＨＡＲＱ−ＡＣＫの送信タイミング（または、受信タイミング）を特定するために用いられても良い。
【０１７２】
また、第２の設定は、下りリンクアサインメント（下りリンクアサインメントを伴うＰＤＣＣＨ／ＥＰＤＣＣＨでも良い）をモニタするサブフレームを特定するために用いられても良い。ここで、下りリンクアサインメントを伴うＰＤＣＣＨ／ＥＰＤＤＣＨは、下りリンクアサインメントの送信に用いられるＰＤＣＣＨ／ＥＰＤＤＣＨの意味を含む。
【０１７３】
また、第２の設定は、下りリンク信号が送信されるサブフレームを特定するために用いられても良い。第２の設定は、ＰＤＳＣＨでの送信または受信を行うサブフレームを特定するために用いられても良い。
【０１７４】
また、第２の設定は、下りリンク信号の送信が可能なサブフレームを特定するために用いられても良い。端末装置１は、基地局装置３によってスケジュールされた場合には、第２の設定に基づいて特定されるサブフレームにおいて、下りリンク信号を受信することができる（下りリンク信号が送信されるとみなすことができる）。第２の設定は、下りリンク信号の送信タイミングを特定するために用いられても良い。
【０１７５】
また、第２の設定は、下りリンク信号および／または下りリンク物理チャネルが、スケジュールおよび／または設定されたサブフレームにおいて、該下りリンク信号および／または下りリンク物理チャネルの受信処理を行うかどうかを特定するために用いられても良い。
【０１７６】
図１３は、第２の設定を説明するための図である。図１３では、第２の設定として、上りリンク−下りリンク設定０から６が記載されている。図１３において、ＰＤＳＣＨが配置されるサブフレームｎ−ｋと、前記ＰＤＳＣＨが対応するＨＡＲＱ−ＡＣＫが送信されるサブフレームｎとの対応が示されている。
【０１７７】
端末装置１は、図１３に示される表に基づいてｋの値を特定する。ここで、サブフレームｎ−ｋおよびサブフレームｎは、端末装置１に対して（端末装置１側で）意図されるサブフレームである。端末装置１は、サブフレームｎ−ｋにおいて、対応するＨＡＲＱ−ＡＣＫの送信を行うべきＰＤＳＣＨでの送信を検出した場合には、サブフレームｎにおいてＨＡＲＱ−ＡＣＫを送信する。
【０１７８】
例えば、端末装置１は、Ｃ−ＲＮＴＩによってスクランブルされたＣＲＣパリティビットが付加されたＤＣＩフォーマットを用いてスケジュールされたＰＤＳＣＨでの送信に対するＨＡＲＱ−ＡＣＫの送信を行う。
【０１７９】
例えば、上りリンク−下りリンク設定１をセットしている端末装置１は、サブフレームｎ＝２において、サブフレームｎ−６および／またはｎ−７において受信した、ＰＤＳＣＨでの送信に対するＨＡＲＱ−ＡＣＫの送信を行う。
【０１８０】
第３の設定について説明する。ここで、端末装置１が、第１の設定、第２の設定、および、スケジューリング情報（例えば、ＤＣＩフォーマット、ＨＡＲＱインディケータ（ＰＨＩＣＨ）など）に基づいて送信の方向（上り、または、下り）を決定してしまうと、該スケジューリング情報を誤って受信／復号した端末装置１が、上りリンク信号を送信してしまうという問題が生じる。
【０１８１】
例えば、基地局装置３が、他の端末装置１に対する下りリンク信号を送信するサブフレームにおいて、該スケジューリング情報を誤って受信／復号した端末装置１が上りリンク信号を送信してしまい、該上りリンク信号が該下りリンク信号への干渉となってしまうという問題が生じる。
【０１８２】
第３の設定は、サブフレームにおける送信の方向（上り、または、下り）を特定するために用いられても良い。また、第３の設定は、上りリンク信号の送信が許可されるサブフレームを特定するために用いられても良い。また、第３の設定は、ＵｐＰＴＳにおいて上りリンク信号の送信を許可されるサブフレームを特定するために用いられても良い。
【０１８３】
例えば、第３の設定は、ＰＵＳＣＨでの送信が許可されるサブフレームを特定するために用いられても良い。また、第３の設定は、ＳＲＳの送信が許可されるサブフレームを特定するために用いられても良い。
【０１８４】
また、第３の設定は、下りリンク信号の送信が許可されるサブフレームを特定するために用いられても良い。また、第３の設定は、ＤｗＰＴＳにおいて下りリンク信号の送信を許可されるサブフレームを特定するために用いられても良い。例えば、第３の設定は、ＰＤＳＣＨでの送信（または、受信）が許可されるサブフレームを特定するために用いられても良い。また、第３の設定は、ＧＰおよびＵｐＰＴＳにおいて下りリンク信号の送信を許可されるサブフレームを特定するために用いられても良い。
【０１８５】
また、第３の設定は、フレキシブルサブフレームにおける上りリンク信号の送信が許可されているかどうかを特定するために用いられても良い。すなわち、第３の設定は、上りリンク信号の送信が許可されるフレキシブルサブフレームを特定するために用いられても良い。
【０１８６】
また、第３の設定は、フレキシブルサブフレームにおける下りリンク信号の送信が許可されているかどうかを特定するために用いられても良い。すなわち、第３の設定は、下りリンク信号の送信が許可されるフレキシブルサブフレームを特定するために用いられても良い。ここで、フレキシブルサブフレームについては、後述する。
【０１８７】
また、第３の設定は、送信の方向が、第１の設定と第２の設定のどちらに従うのかを特定するために用いられても良い。第３の設定は、第１の設定と第２の設定のどちらに基づいて、上りリンク信号の送信が可能なサブフレームが特定されるべきかを示しても良い。端末装置１は、第３の設定に従って特定した第１の設定または第２の設定に基づいて、上りリンク信号の送信が可能なサブフレームを特定する。
【０１８８】
また、第３の設定は、第１の設定と第２の設定のどちらに基づいて、下りリンク信号をモニタするサブフレームが特定されるべきかを示しても良い。端末装置１は、第３の設定に従って特定した第１の設定または第２の設定に基づいて、下りリンク信号をモニタするサブフレームを特定する。
【０１８９】
また、第３の設定は、コンテンションベースのランダムアクセスプロシージャの一環としての、ランダムアクセスレスポンスグラント、または、同一のトランスポートブロックの再送信に対応するＰＵＳＣＨでの送信に対しては用いられなくても良い。
【０１９０】
すなわち、第３の設定は、コンテンションベースのランダムアクセスプロシージャの一環としての、ランダムアクセスレスポンスグラント、または、同一のトランスポートブロックの再送信に対応するＰＵＳＣＨでの送信である場合を除いて（unless the PUSCH transmission corresponds to a Random Access Response Grant or a retransmission of the same transport block as part of the contention based random access procedure）、用いられても良い。
【０１９１】
また、第３の設定は、Ｃ−ＲＮＴＩによってスクランブルされたＣＲＣパリティビットが付加されたＤＣＩフォーマットを用いてスケジュールされたＰＵＳＣＨでの送信に対して用いられなくても良く、ＨＡＲＱインディケータ（ＰＨＩＣＨ）に基づく、同一のトランスポートブロックの再送信に対応するＰＵＳＣＨでの送信に対して用いられても良い。
【０１９２】
また、第３の設定は、コンテンションベースのランダムアクセスプロシージャの一環ではない、ＨＡＲＱインディケータ（ＰＨＩＣＨ）に対応するＰＵＳＣＨでの送信（または、受信）のみに対して用いられても良い。
【０１９３】
基地局装置３は、第１の設定を示す第１の情報（第１のパラメータを示す第１の情報でも良い）を、端末装置１へ送信しても良い。また、基地局装置３は、第２の設定を示す第２の情報（第２のパラメータを示す第２の情報でも良い）を、端末装置１へ送信しても良い。また、基地局装置３は、第３の設定を示す第３の情報（第３のパラメータを示す第３の情報でも良い）を、端末装置１へ送信しても良い。
【０１９４】
例えば、基地局装置３は、第１の情報を、マスターインフォメーションブロック、システムインフォメーションブロックタイプ１メッセージ、システムインフォメーションメッセージ、ＲＲＣメッセージ、ＭＡＣ  ＣＥ、および、物理層における制御情報（例えば、ＤＣＩフォーマット）の少なくとも１つに含めて送信しても良い。例えば、第１の情報は、システムインフォメーションブロックタイプ１メッセージに含まれることが好ましい。また、第１の情報は、セル内における複数の端末装置１に対して共通であることが好ましい。
【０１９５】
また、基地局装置３は、第２の情報を、マスターインフォメーションブロック、システムインフォメーションブロックタイプ１メッセージ、システムインフォメーションメッセージ、ＲＲＣメッセージ、ＭＡＣ  ＣＥ、および、物理層における制御情報（例えば、ＤＣＩフォーマット）の少なくとも１つに含めて送信しても良い。例えば、第２の情報は、システムインフォメーションブロックタイプ１メッセージ、または、システムインフォメーションメッセージ、または、ＲＲＣメッセージに含まれることが好ましい。また、第２の情報は、セル内における複数の端末装置１に対して共通であっても良いし、ある端末装置に対して専用であっても良い。
【０１９６】
また、基地局装置３は、第３の情報を、マスターインフォメーションブロック、システムインフォメーションブロックタイプ１メッセージ、システムインフォメーションメッセージ、ＲＲＣメッセージ、ＭＡＣ  ＣＥ、および、物理層における制御情報（例えば、ＤＣＩフォーマット）の少なくとも１つに含めて送信しても良い。例えば、第３の情報は、マスターインフォメーションブロック、または、ＭＡＣ  ＣＥ、または、物理層における制御情報（例えば、ＤＣＩフォーマット）に含まれることが好ましい。また、第３の情報は、セル内における複数の端末装置１に対して共通であっても良いし、ある端末装置に対して専用であっても良い。
【０１９７】
また、第３の設定（第３の情報でも良い）は、少なくとも１ビットの情報を用いて定義されても良い。第３の設定（第３の情報でも良い）は、第３の指示と称されても良い。
【０１９８】
基地局装置３は、第３の情報が含まれるＤＣＩフォーマット（ＤＣＩフォーマット６とも称する）に、専用のＣＲＣパリティビット（以下、DTDD-CRC: Dynamic TDD-CRCとも称する）を付加して送信しても良い。ここで、ＤＴＤＤ−ＣＲＣは、仕様書などに基づいて、第３の情報の送信に対して専用に定義（予約）される。基地局装置３は、ＤＴＤＤ−ＣＲＣを、端末装置１へ割り当てることができる。
【０１９９】
また、ＤＣＩフォーマット６には、複数の端末装置１宛ての、複数の第３の情報が含まれても良い。基地局装置３は、ＤＣＩフォーマット６を、ＣＳＳで送信しても良い。また、基地局装置３は、ＤＣＩフォーマット６を、ＵＳＳで送信しても良い。
【０２００】
また、基地局装置３は、ＤＣＩフォーマット６のいずれのフィールド（フィールドの位置）に、端末装置１宛ての第３の情報がセットされているのかを指示する情報（インデックス）を、上位層の信号（例えば、dedicated signaling）に含めて送信しても良い。
【０２０１】
基地局装置３は、第３の情報を下りリンクアサインメントに含めて送信しても良い。また、基地局装置３は、第３の情報を上りリンクグラントに含めて送信しても良い。端末装置１は、ＤＴＤＤ−ＲＮＴＩによってスクランブルされたＣＲＣパリティビットが付加されたＤＣＩフォーマット６を検出し、第３の情報に基づいて、第３の設定をセットする。
【０２０２】
ここで、第１の設定は、上りリンク参照設定（uplink reference configuration）と称されても良い。また、第１の設定は、上りリンク参照上りリンク−下りリンク設定（uplink reference uplink - downlink configuration）と称されても良い。
【０２０３】
また、第２の設定は、下りリンク参照設定（downlink reference configuration）と称されても良い。また、第２の設定は、下りリンク参照上りリンク−下りリンク設定（downlink reference uplink - downlink configuration）と称されても良い。
【０２０４】
端末装置１は、第１の情報に基づいて、第１の設定をセットしても良い。また、端末装置１は、第１の情報に基づいて、上りリンク参照設定として、第１の設定をセットしても良い。また、端末装置１は、第１の情報に基づいて、上りリンク参照上りリンク−下りリンク設定として、第１の設定をセットしても良い。
【０２０５】
また、端末装置１は、第２の情報に基づいて、第２の設定をセットしても良い。また、端末装置１は、第２の情報に基づいて、下りリンク参照設定として、第２の設定をセットしても良い。また、端末装置１は、第２の情報に基づいて、下りリンク参照上りリンク−下りリンク設定として、第２の設定をセットしても良い。
【０２０６】
また、端末装置１は、第３の情報に基づいて、第３の設定をセットしても良い。ここで、第２の設定をセットしている端末装置１を、ダイナミックＴＤＤが設定されている端末装置１とも称しても良い。
【０２０７】
図１４は、第１の設定、第２の設定および第３の設定を用いて指示されるサブフレームの関係を示す図である。図１４において、Ｄは下りリンクサブフレームを示し、Ｕは上りリンクサブフレームを示し、Ｓはスペシャルサブフレームを示す。
【０２０８】
図１４（ａ）に示すように、第１の設定によって下りリンクサブフレームと指示され、第２の設定によって下りリンクサブフレームと指示されたサブフレームは、第３の設定によって下りリンクサブフレームとして指示されても良い。
【０２０９】
また、図１４（ｂ）に示すように、第１の設定によって上りリンクサブフレームと指示され、第２の設定によって上りリンクサブフレームと指示されたサブフレームは、第３の設定によって上りリンクサブフレームとして指示されても良い。
【０２１０】
また、図１４（ｃ）に示すように、第１の設定によって上りリンクサブフレームと指示され、第２の設定によって下りリンクサブフレームと指示されたサブフレームは、第３の設定によって上りリンクサブフレームまたは下りリンクサブフレームとして指示されても良い。
【０２１１】
また、図１４（ｄ）に示すように、第１の設定によってスペシャルサブフレームと指示され、第２の設定によってスペシャルサブフレームと指示されたサブフレームは、第３の設定によってスペシャルサブフレームとして指示されても良い。
【０２１２】
また、図１４（ｅ）に示すように、第１の設定によってスペシャルサブフレームと指示され、第２の設定によって下りリンクサブフレームと指示されたサブフレームは、第３の設定によってスペシャルサブフレームまたは下りリンクサブフレームとして指示されても良い。
【０２１３】
ここで、第３の設定によって上りリンクサブフレームとして指示されたサブフレーム、または、第３の設定によってスペシャルサブフレームとして指示されたサブフレームのＵｐＰＴＳを、第１のサブフレームとも称する。
【０２１４】
また、第３の設定によって下りリンクサブフレームとして指示されたサブフレーム、または、第３の設定によってスペシャルサブフレームとして指示されたサブフレームのＤｗＰＴＳを、第２のサブフレームとも称する。
【０２１５】
例えば、基地局装置３は、第１のサブフレームにおいて、上りリンク信号の送信に対するスケジューリングを行っても良い。また、基地局装置３は、第１のサブフレームにおいて、下りリンク信号の送信に対するスケジューリングを行っても良い。
【０２１６】
また、基地局装置３は、第２のサブフレームにおいて、下りリンク信号の送信に対するスケジューリングを行っても良い。
【０２１７】
また、端末装置１は、第１のサブフレームにおいて、上りリンク信号の送信がスケジュールされていない場合に、下りリンク信号の受信を行っても良い。
【０２１８】
また、端末装置１は、第２のサブフレームにおいて、下りリンク信号の受信を行っても良い。端末装置１は、第２のサブフレームにおいて、ＰＤＣＣＨ／ＥＰＤＣＣＨのモニタを行っても良い。また、端末装置１は、第２のサブフレームにおいて、下りリンクアサインメントを検出した場合に、該第２のサブフレームにおいて、該下りリンクアサインメントに対応するＰＤＳＣＨでの受信を行っても良い。
【０２１９】
ここで、第１の設定によって上りリンクサブフレームとして指示され、第２の設定によって上りリンクサブフレームとして指示されたサブフレームを、フィックスド上りリンクサブフレーム（fixed uplink subframe）とも称する。
【０２２０】
また、第１の設定によって下りリンクサブフレームとして指示され、第２の設定によって下りリンクサブフレームとして指示されたサブフレームを、フィックスド下りリンクサブフレーム（fixed downlink subframe）とも称する。
【０２２１】
また、第１の設定によってスペシャルサブフレームとして指示され、第２の設定によってスペシャルサブフレームとして指示されたサブフレームを、フィックスドスペシャルサブフレーム（fixed special subframe）とも称する。
【０２２２】
また、第１の設定によって上りリンクサブフレームとして指示され、第２の設定によって下りリンクサブフレームとして指示されたサブフレームを、第１のフレキシブルサブフレームとも称する。また、第１の設定によってスペシャルサブフレームとして指示され、第２の設定によって下りリンクサブフレームとして指示されたサブフレームを、第２のフレキシブルサブフレームとも称する。第１のフレキシブルサブフレームと第２のフレキシブルサブフレームを総称して、フレキシブルサブフレームとも称する。
【０２２３】
フレキシブルサブフレームは、基地局装置３によって送信されるＤＣＩフォーマット、および、第３の設定に基づいて、上りリンク信号の送信および／または下りリンク信号の送信に用いられても良い。
【０２２４】
以下、基本的には、端末装置１の動作について記載するが、端末装置１の動作に対応して、基地局装置３が同様の動作を行うことは勿論である。
【０２２５】
端末装置１は、フィックスド上りリンクサブフレームであり、且つ、上りリンクグラントを用いてＰＵＳＣＨがスケジュールされたサブフレームにおいて、ＰＵＳＣＨでの送信を行っても良い。また、端末装置１は、フィックスド上りリンクサブフレームであり、且つ、ＨＡＲＱインディケータ（ＰＨＩＣＨ）に対応するサブフレームにおいて、ＰＵＳＣＨでの送信を行っても良い。
【０２２６】
すなわち、端末装置１は、フィックスド上りリンクサブフレームにおいて、第３の設定に関わらずに、ＰＵＳＣＨでの送信を行っても良い。端末装置１は、フィックスド上りリンクサブフレームに対する第３の設定（第３の情報でも良い）を受信（モニタ）しなくても良い。例えば、端末装置１は、フィックスド上りリンクサブフレームに対する、第３の情報が含まれるＤＣＩフォーマットをモニタしなくても良い。
【０２２７】
また、端末装置１は、フィックスド上りリンクサブフレームであり、第３の設定によって上りリンク信号の送信を許可され、且つ、上りリンクグラントを用いてＰＵＳＣＨがスケジュールされたサブフレームにおいて、ＰＵＳＣＨでの送信を行っても良い。
【０２２８】
また、端末装置１は、フィックスド上りリンクサブフレームであり、第３の設定によって上りリンク信号の送信を許可され、且つ、ＨＡＲＱインディケータ（ＰＨＩＣＨ）に対応するサブフレームにおいて、ＰＵＳＣＨでの送信を行っても良い。
【０２２９】
すなわち、端末装置１は、フィックスド上りリンクサブフレームにおいて、第３の設定に基づいて、ＰＵＳＣＨでの送信を行っても良い。
【０２３０】
また、端末装置１は、フレキシブルサブフレームであり、第３の設定によって上りリンク信号の送信を許可され、且つ、上りリンクグラントを用いてＰＵＳＣＨがスケジュールされたサブフレームにおいて、ＰＵＳＣＨでの送信を行っても良い。
【０２３１】
また、端末装置１は、フレキシブルサブフレームであり、第３の設定によって上りリンク信号の送信を許可され、且つ、ＨＡＲＱインディケータ（ＰＨＩＣＨ）に対応するサブフレームにおいて、ＰＵＳＣＨでの送信を行っても良い。
【０２３２】
また、端末装置１は、第１のＳＲＳの送信に対して設定されたサブフレームが、フィックスド上りリンクサブフレームであるならば、第１のＳＲＳを送信しても良い。
【０２３３】
また、端末装置１は、第１のＳＲＳの送信に対して設定されたサブフレームが、フィックスドスペシャルサブフレームであるならば、第１のＳＲＳを送信しても良い。
【０２３４】
また、端末装置１は、第１のＳＲＳの送信に対して設定されたサブフレームが、フレキシブルサブフレームであり、且つ、第３の設定によって上りリンク信号の送信を許可されているならば、第１のＳＲＳを送信しても良い。
【０２３５】
また、端末装置１は、サブフレームｎにおいてa positive SRS requestを検出した場合に、
・ｎ＋ｋ、ｋ≧４、且つ、
・上位層によって設定されている（上位層の信号を用いて設定されている）
ことを満たす最初のサブフレームが、フィックスド上りリンクサブフレームであるならば、第２のＳＲＳを送信しても良い。
【０２３６】
また、端末装置１は、サブフレームｎにおいてa positive SRS requestを検出した場合に、
・ｎ＋ｋ、ｋ≧４、且つ、
・上位層によって設定されている（上位層の信号を用いて設定されている）
ことを満たす最初のサブフレームが、フィックスドスペシャルサブフレームであるならば、第２のＳＲＳを送信しても良い。
【０２３７】
また、端末装置１は、サブフレームｎにおいてa positive SRS requestを検出した場合に、
・ｎ＋ｋ（ｋ≧４）、且つ、
・上位層によって設定されている（上位層の信号を用いて設定されている）
ことを満たす最初のサブフレームが、フレキシブルサブフレームであり、且つ、第３の設定によって上りリンク信号の送信を許可されているならば、第２のＳＲＳを送信しても良い。
【０２３８】
また、端末装置１は、フレキシブルサブフレームであり、且つ、上りリンクグラントを用いてＰＵＳＣＨがスケジュールされたサブフレームであっても、第３の設定によって上りリンク信号の送信を許可されていないならば、ＰＵＳＣＨでの送信をドロップしても良い。
【０２３９】
また、端末装置１は、フレキシブルサブフレームであり、且つ、ＨＡＲＱインディケータ（ＰＨＩＣＨ）に対応するサブフレームであっても、第３の設定によって上りリンク信号の送信を許可されていないならば、ＰＵＳＣＨでの送信をドロップしても良い。
【０２４０】
また、端末装置１は、第１のＳＲＳの送信に対して設定されたサブフレームが、フレキシブルサブフレームであり、且つ、第３の設定によって上りリンク信号の送信が許可されていないならば、第１のＳＲＳの送信をドロップしても良い。
【０２４１】
すなわち、端末装置１は、第１のＳＲＳの送信が設定されたフレキシブルサブフレームにおける上りリンク信号の送信が、第３の設定によって許可されていないならば、フレキシブルサブフレームにおける第１のＳＲＳの送信をドロップしても良い。
【０２４２】
また、端末装置１は、第１のＳＲＳの送信に対して設定されたサブフレームが、フィックスド下りリンクサブフレームであるならば、第１のＳＲＳの送信をドロップしても良い。
【０２４３】
また、端末装置１は、サブフレームｎにおいてa positive SRS requestを検出した場合に、
・ｎ＋ｋ（ｋ≧４）、且つ、
・上位層によって設定されている（上位層の信号を用いて設定されている）
ことを満たす最初のサブフレームが、フレキシブルサブフレームであり、且つ、第３の設定によって上りリンク信号の送信を許可されていないならば、第２のＳＲＳの送信をドロップしても良い。
【０２４４】
すなわち、端末装置１は、第２のＳＲＳの送信がスケジュールされたフレキシブルサブフレームにおける上りリンク信号の送信が、第３の設定によって許可されていないならば、フレキシブルサブフレームにおける第２のＳＲＳの送信をドロップしても良い。
【０２４５】
また、端末装置１は、サブフレームｎにおいてa positive SRS requestを検出した場合に、
・ｎ＋ｋ（ｋ≧４）、且つ、
・上位層によって設定されている（上位層の信号を用いて設定されている）
ことを満たす最初のサブフレームが、フィックスド下りリンクサブフレームであるならば、第２のＳＲＳの送信をドロップしても良い。
【０２４６】
ここで、上位層によって設定されている（上位層の信号を用いて設定されている）サブフレームとは、例えば、下記の数１を満たすサブフレーム（ｋＳＲＳ）が含まれる。
【数１】
2014156894.tif 000003
【０２４７】
数１において、ｎｆは無線フレームの番号（SFN: System Frame Number）を示している。また、ＴＳＲＳは、ＳＲＳサブフレームの周期（ＳＲＳの周期）を示し、Ｔoffsetは、ＳＲＳサブフレームのオフセットの値を示しており、基地局装置３によって上位層の信号を用いて設定される。ここで、ｋＳＲＳは、図１５に示す表によって定義される。
【０２４８】
端末装置１は、数１を満たすｋＳＲＳを算出し、算出したｋＳＲＳと図１５に示す表に基づいて、第２のＳＲＳを送信するＳＣ−ＦＤＭＡシンボルを決定する。例えば、数１を満たすｋＳＲＳとして“１”を算出した端末装置１は、ＵｐＰＴＳの長さが２シンボルの場合には、サブフレームインデックス１におけるＵｐＰＴＳの２番目のシンボルを用いて、第２のＳＲＳを送信する。
【０２４９】
ここで、端末装置１は、コンテンションベースのランダムアクセスプロシージャの一環として、上りリンクデータ（メッセージ３）の送信をスケジュールされた場合には、第３の設定に関わらずに、ＰＵＳＣＨでの送信を行っても良い。
【０２５０】
例えば、端末装置１は、あるサブフレームに対する第３の設定に関わらずに、該サブフレームにおいて、コンテンションベースのランダムアクセスプロシージャの一環として、ランダムアクセスレスポンスグラントに対応するＰＵＳＣＨでの送信を行っても良い。
【０２５１】
すなわち、端末装置１は、第３の設定によって、あるサブフレームにおける上りリンク信号の送信を許可されていない場合であっても、該サブフレームにおいて、コンテンションベースのランダムアクセスプロシージャの一環として、ランダムアクセスレスポンスグラントに対応するＰＵＳＣＨでの送信を行っても良い。
【０２５２】
また、端末装置１は、あるサブフレームに対する第３の設定に関わらずに、該サブフレームにおいて、コンテンションベースのランダムアクセスプロシージャの一環として、Ｔｅｍｐｏｒａｒｙ  Ｃ−ＲＮＴＩによってスクランブルされたＣＲＣパリティビットが付加されたＤＣＩフォーマットを用いてスケジュールされたＰＵＳＣＨでの送信を行っても良い。
【０２５３】
すなわち、端末装置１は、第３の設定によって、あるサブフレームにおける上りリンク信号の送信を許可されていない場合であっても、該サブフレームにおいて、コンテンションベースのランダムアクセスプロシージャの一環として、Ｔｅｍｐｏｒａｒｙ  Ｃ−ＲＮＴＩによってスクランブルされたＣＲＣパリティビットが付加されたＤＣＩフォーマットを用いてスケジュールされたＰＵＳＣＨでの送信を行っても良い。
【０２５４】
また、端末装置１は、あるサブフレームに対する第３の設定に関わらずに、該サブフレームにおいて、コンテンションベースのランダムアクセスプロシージャの一環として、ＨＡＲＱインディケータ（ＰＨＩＣＨ）に対応するＰＵＳＣＨでの送信を行っても良い。
【０２５５】
すなわち、端末装置１は、第３の設定によって、あるサブフレームにおける上りリンク信号の送信を許可されていない場合であっても、該サブフレームにおいて、コンテンションベースのランダムアクセスプロシージャの一環として、ＨＡＲＱインディケータ（ＰＨＩＣＨ）に対応するＰＵＳＣＨでの送信を行っても良い。
【０２５６】
すなわち、端末装置１は、あるサブフレームに対する第３の設定に関わらずに、該サブフレームにおいて、コンテンションベースのランダムアクセスプロシージャの一環として、同一の上りリンクデータ（トランスポートブロック）の再送信に対応するＰＵＳＣＨでの送信を行っても良い。
【０２５７】
すなわち、端末装置１は、コンテンションベースのランダムアクセスプロシージャの一環として、ランダムアクセスレスポンスグラント、または、同一のトランスポートブロックの再送信に対応するＰＵＳＣＨでの送信を行う場合を除いて、第３の設定に基づいてＰＵＳＣＨでの送信を行っても良い。
【０２５８】
例えば、端末装置１は、第３の設定によって、あるサブフレームにおける上りリンク信号の送信を許可されている場合には、該あるサブフレームにおいて、Ｃ−ＲＮＴＩによってスクランブルされたＣＲＣパリティビットが付加されたＤＣＩフォーマットを用いてスケジュールされたＰＵＳＣＨでの送信を行っても良い。
【０２５９】
また、端末装置１は、第３の設定によって、あるサブフレームにおける上りリンク信号の送信を許可されていない場合には、該あるサブフレームにおいて、Ｃ−ＲＮＴＩによってスクランブルされたＣＲＣパリティビットが付加されたＤＣＩフォーマットを用いてスケジュールされたＰＵＳＣＨでの送信をドロップしても良い。
【０２６０】
また、端末装置１は、第３の設定によって、あるサブフレームにおける上りリンク信号の送信を許可されている場合には、該あるサブフレームにおいて、ノンコンテンションベースのランダムアクセスプロシージャの一環としての、ランダムアクセスレスポンスグラント、または、同一のトランスポートブロックの再送信に対応するＰＵＳＣＨでの送信を行っても良い。
【０２６１】
また、端末装置１は、第３の設定によって、あるサブフレームにおける上りリンク信号の送信を許可されていない場合には、該あるサブフレームにおいて、ノンコンテンションベースのランダムアクセスプロシージャの一環としての、ランダムアクセスレスポンスグラント、または、同一のトランスポートブロックの再送信に対応するＰＵＳＣＨでの送信をドロップしても良い。
【０２６２】
また、端末装置１は、第３の設定によって、あるサブフレームにおける上りリンク信号の送信を許可されている場合には、該あるサブフレームにおいて、コンテンションベースのランダムアクセスプロシージャの一環ではない、ＨＡＲＱインディケータ（ＰＨＩＣＨ）に対応するＰＵＳＣＨでの送信を行っても良い。
【０２６３】
また、端末装置１は、第３の設定によって、あるサブフレームにおける上りリンク信号の送信を許可されていない場合には、該あるサブフレームにおいて、コンテンションベースのランダムアクセスプロシージャの一環ではない、ＨＡＲＱインディケータ（ＰＨＩＣＨ）に対応するＰＵＳＣＨでの送信をドロップしても良い。
【０２６４】
ここで、第３の設定は、Ｃ−ＲＮＴＩによってスクランブルされたＣＲＣパリティビットが付加されたＤＣＩフォーマットを用いてスケジュールされたＰＵＳＣＨでの送信に対して用いられなくても良く、ＨＡＲＱインディケータ（ＰＨＩＣＨ）に基づく、同一のトランスポートブロックの再送信に対応するＰＵＳＣＨでの送信に対して用いられても良い。
【０２６５】
すなわち、端末装置１は、あるサブフレームに対する第３の設定に関わらずに、該サブフレームにおいて、Ｃ−ＲＮＴＩによってスクランブルされたＣＲＣパリティビットが付加されたＤＣＩフォーマットを用いてスケジュールされたＰＵＳＣＨでの送信を行っても良い。
【０２６６】
すなわち、端末装置１は、第３の設定によって、あるサブフレームにおける上りリンク信号の送信を許可されていない場合であっても、該サブフレームにおいて、Ｃ−ＲＮＴＩによってスクランブルされたＣＲＣパリティビットが付加されたＤＣＩフォーマットを用いてスケジュールしたＰＵＳＣＨでの送信を行っても良い。
【０２６７】
上述のように、第３の設定を用いることによって、スケジューリング情報を誤って受信／復号した端末装置１が、上りリンク信号を送信してしまうことを防ぐことが出来る。すなわち、第３の設定によって上りリンクサブフレームと指示されたサブフレームにおける上りリンク信号の送信が許可され、または、第３の設定によってスペシャルサブフレームと指示されたサブフレームのＵｐＰＴＳにおける上りリンク信号の送信が許可されることによって、より信頼性の高い上りリンク信号の送信を行うことができる。また、第３の設定によって下りリンクサブフレームと指示されたサブフレームにおける上りリンク信号の送信が許可されない、または、第３の設定によってスペシャルサブフレームと指示されたサブフレームのＤｗＰＴＳおよびＧＰにおける上りリンク信号の送信が許可されないことによって、より信頼性の高い上りリンク信号の送信を行うことができる。すなわち、スケジューリング情報を誤って受信／復号した端末装置１が上りリンク信号を送信してしまうことによって生じる干渉を防ぐことが可能となり、無線通信システムにおいて、より効率的な通信を行うことができる。
【０２６８】
また、端末装置１が、第３の設定に関わらずに、コンテンションベースのランダムアクセスプロシージャの一環としてＰＵＳＣＨでの送信を行うことによって、無線通信システムにおいて、端末装置１と、過去にリリースされた端末装置（例えば、LTE Rel.8からLTE Rel.10の何れかに対応する端末装置）とを共存させることが可能となり、より効率的な通信を行うことができる。
【０２６９】
すなわち、基地局装置３が、何れの端末装置１と通信を行っているかを知ることができない期間においては、第３の設定を用いないことによって、無線通信システムにおいて、端末装置１と、過去にリリースされた端末装置とを共存させることが可能となり、より効率的な通信を行うことが可能となる。
【０２７０】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２７１】
尚、上述した実施形態における移動局装置１、基地局装置３の一部をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２７２】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２７３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２７４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えても良い。装置グループとして、基地局装置３の一通りの各機能または各機能ブロックを有していれば良い。また、上述した実施形態に関わる移動局装置１は、集合体としての基地局装置と通信することも可能である。
【０２７５】
また、上述した実施形態における基地局装置３は、ＥＵＴＲＡＮ（Evolved Universal Terrestrial Radio Access Network）であっても良い。また、上述した実施形態における基地局装置３は、ｅＮｏｄｅＢに対する上位ノードの機能の一部または全部を有しても良い。
【０２７６】
また、上述した実施形態における端末装置１、基地局装置３の一部、又は全部を典型的には集積回路であるＬＳＩとして実現しても良いし、チップセットとして実現しても良い。端末装置１、基地局装置３の各機能ブロックは個別にチップ化しても良いし、一部、又は全部を集積してチップ化しても良い。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２７７】
また、上述した実施形態では、端末装置もしくは通信装置を一例として記載したが、本願発明は、これに限定されるものではなく、屋内外に設置される据え置き型、または非可動型の電子機器、例えば、ＡＶ機器、キッチン機器、掃除・洗濯機器、空調機器、オフィス機器、自動販売機、その他生活機器などの端末装置もしくは通信装置にも適用出来る。
【０２７８】
また、端末装置は、ユーザー装置（User Equipment: UE）、移動局（Mobile Station: MS, Mobile Terminal, MT）、移動局装置、移動端末、加入者ユニット、加入者局、ワイヤレス端末、移動体デバイス、ノード、デバイス、遠隔局、遠隔端末、ワイヤレス通信デバイス、ワイヤレス通信装置、ユーザエージェント、アクセス端末などの移動型又は固定型のユーザー端機器を総称しても良い。
【０２７９】
また、基地局装置は、ノードＢ（NodeB）、強化ノードＢ（eNodeB）、基地局、アクセスポイント（Access Point: AP）などの端末と通信するネットワーク端の任意のノードを総称しても良い。尚、装置は、ＲＲＨ（Remote Radio Head、Remote Radio Unit: RRU、リモートアンテナ、分散アンテナとも称す）を含んでも良い。
【０２８０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２８１】
１（１Ａ、１Ｂ、１Ｃ）  端末装置
３  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
３０１  データ制御部
３０２  送信データ変調部
３０３  無線部
３０４  スケジューリング部
３０５  チャネル推定部
３０６  受信データ復調部
３０７  データ抽出部
３０８  上位層
３０９  アンテナ
【図１】
2014156894.tif 000004
【図２】
2014156894.tif 000005
【図３】
2014156894.tif 000006
【図４】
2014156894.tif 000007
【図５】
2014156894.tif 000008
【図６】
2014156894.tif 000009
【図７】
2014156894.tif 000010
【図８】
2014156894.tif 000011
【図９】
2014156894.tif 000012
【図１０】
2014156894.tif 000013
【図１１】
2014156894.tif 000014
【図１２】
2014156894.tif 000015
【図１３】
2014156894.tif 000016
【図１４】
2014156894.tif 000017
【図１５】
2014156894.tif 000018
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
上りリンク下りリンク設定を示す第１の情報と、上りリンク下りリンクを示す第２の情報と、上りリンク下りリンク設定を示す第３の情報と、を受信し、
前記第３の情報によって示される前記上りリンク下りリンク設定に基づいて物理下りリンク制御チャネルをモニタし、
サウンディング参照信号の送信を要求する情報を前記物理下りリンク制御チャネルで受信する受信部と、
前記サウンティング参照信号の送信を要求する前記情報をサブフレームｎにおいて受信した場合に、ｎ＋ｋ（ｋ≧４）を満たし、かつ上位層によって設定される最初のサブフレームにおいて前記サウンディング参照信号を送信する送信部と、
を備え、
前記送信部は、
ｎ＋ｋ（ｋ≧４）を満たし、かつ前記上位層によって設定される前記最初のサブフレームが前記第３の情報によって示される前記上りリンク下りリンク設定に基づく下りリンクサブフレームである場合、前記サウンディング参照信号を送信せず、
前記物理下りリンク制御チャネルに対応する物理下りリンク共用チャネルでの送信は、前記第１の情報によって示される前記上りリンク下りリンク設定に基づき、
前期物理下りリンク制御チャネルに対応する前記物理下りリンク共用チャネルの送信の検出に対するＨＡＲＱ‐ＡＣＫの送信は、前記第２の情報によって示される前記上りリンク下りリンク設定に基づく、
端末装置。
【請求項２】
端末装置と通信する基地局装置であって、
上りリンク下りリンク設定を示す第１の情報と、上りリンク下りリンクを示す第２の情報と、上りリンク下りリンク設定を示す第３の情報と、を送信し、
前記第３の情報によって示される前記上りリンク下りリンク設定に基づいて、サウンディング参照信号の送信を要求する情報を物理下りリンク制御チャネルで送信する送信部と、
前記サウンティング参照信号の送信を要求する前記情報をサブフレームｎにおいて送信した場合に、ｎ＋ｋ（ｋ≧４）を満たし、かつ上位層によって設定される最初のサブフレームにおいて前記サウンディング参照信号を受信する受信部と、
を備え、
前記受信部は、
ｎ＋ｋ（ｋ≧４）を満たし、かつ前記上位層によって設定される前記最初のサブフレームが前記第３の情報によって示される前記上りリンク下りリンク設定に基づく下りリンクサブフレームである場合、前記サウンディング参照信号を受信せず、
前記物理下りリンク制御チャネルに対応する物理下りリンク共用チャネルでの受信は、前記第１の情報によって示される前記上りリンク下りリンク設定に基づき、
前期物理下りリンク制御チャネルに対応する前記物理下りリンク共用チャネルの送信の検出に対するＨＡＲＱ−ＡＣＫの受信は、前記第２の情報によって示される前記上りリンク下りリンク設定に基づく、
基地局装置。
【請求項３】
基地局装置と通信する端末装置に用いられる通信方法であって、
上りリンク下りリンク設定を示す第１の情報と、上りリンク下りリンクを示す第２の情報と、上りリンク下りリンク設定を示す第３の情報と、を受信し、
前記第３の情報によって示される前記上りリンク下りリンク設定に基づいて物理下りリンク制御チャネルをモニタし、
サウンディング参照信号の送信を要求する情報を前記物理下りリンク制御チャネルで受信する受信ステップと、
前記サウンティング参照信号の送信を要求する前記情報をサブフレームｎにおいて受信された場合に、ｎ＋ｋ（ｋ≧４）を満たし、かつ上位層によって設定される最初のサブフレームにおいて前記サウンディング参照信号を送信する送信ステップと、
を有し、
前記送信ステップでは、
ｎ＋ｋ（ｋ≧４）を満たし、かつ前記上位層によって設定される前記最初のサブフレームが前記第３の情報によって示される前記上りリンク下りリンク設定に基づく下りリンクサブフレームである場合、前記サウンディング参照信号を送信せず、
前記物理下りリンク制御チャネルに対応する物理下りリンク共用チャネルでの送信は、前記第１の情報によって示される前記上りリンク下りリンク設定に基づき、
前期物理下りリンク制御チャネルに対応する前記物理下りリンク共用チャネルの送信の検出に対するＨＡＲＱ−ＡＣKの送信は、前記第２の情報によって示される前記上りリンク下りリンク設定に基づく、
通信方法。
【請求項４】
端末装置と通信する基地局装置に用いられる通信方法であって、
上りリンク下りリンク設定を示す第１の情報と、上りリンク下りリンクを示す第２の情報と、上りリンク下りリンク設定を示す第３の情報と、を送信し、
前記第３の情報によって示される前記上りリンク下りリンク設定に基づいて、サウンディング参照信号の送信を要求する情報を物理下りリンク制御チャネルで送信する送信ステップと、
前記サウンティング参照信号の送信を要求する前記情報をサブフレームｎにおいて送信された場合に、ｎ＋ｋ（ｋ≧４）を満たし、かつ上位層によって設定される最初のサブフレームにおいて前記サウンディング参照信号を受信する受信ステップと、
を有し、
前記受信ステップでは、
ｎ＋ｋ（ｋ≧４）を満たし、かつ前記上位層によって設定される前記最初のサブフレームが前記第３の情報によって示される前記上りリンク下りリンク設定に基づく下りリンクサブフレームである場合、前記サウンディング参照信号を受信せず、
前記物理下りリンク制御チャネルに対応する物理下りリンク共用チャネルでの受信は、前記第１の情報によって示される前記上りリンク下りリンク設定に基づき、
前期物理下りリンク制御チャネルに対応する前記物理下りリンク共用チャネルの送信の検出に対するＨＡＲＱ−ＡＣＫの受信は、前記第２の情報によって示される前記上りリンク下りリンク設定に基づく、
通信方法。
【手続補正３】
【補正対象書類名】明細書
【補正対象項目名】０００１
【補正方法】変更
【補正の内容】
【０００１】
本発明は、端末装置、基地局装置、および通信方法に関する。
【手続補正４】
【補正対象書類名】明細書
【補正対象項目名】００１０
【補正方法】変更
【補正の内容】
【００１０】
本発明は上記の点に鑑みてなされたものであり、その目的は、基地局装置によるスケジューリングに基づいて、端末装置が上りリンク信号の送信を行い、より効率的に通信することができる端末装置、基地局装置、および通信方法を提供することを目的とする。
【国際調査報告】
2014156894.tif 000019
2014156894.tif 000020
2014156894.tif 000021
2014156894.tif 000022